(57)【要約】  周波数多重信号を受信して受信信号を出力する受信部（４）と、１セグメント放送と３セグメント放送に基づく受信信号を復調して第１キャリアを出力する第１復調手段（７）と、１セグメント放送に基づく受信信号を復調して第２キャリアを出力する第２復調手段（８）と、受信信号が１セグメント放送もしくは３セグメント放送のいずれであるかを判定する判定部（９）と、第１キャリアと第２キャリアを合成もしくは選択する合成・選択部（１０）を備え、１セグメント放送の場合には、合成・選択部（１０）は、第１キャリアと第２キャリアを合成もしくは選択し、３セグメント放送の場合には、合成・選択部（１０）は、第１キャリアを選択する。
2007144978.tif 000002
【特許請求の範囲】
【請求項１】
周波数多重信号を受信して受信信号を出力する受信部と、
１セグメント放送と３セグメント放送に基づく前記受信信号を復調して第１キャリア群を出力する第１復調手段と、
１セグメント放送に基づく受信信号を復調して第２キャリア群を出力する第２復調手段と、
前記受信信号が、１セグメント放送に基づく周波数多重信号を含む第１判定結果と、前記受信信号が、３セグメント放送に基づく周波数多重信号を含む第２判定結果のいずれかを判定する判定部と、
前記第１キャリア群と前記第２キャリア群を合成もしくは選択する合成・選択部を備え、
前記第１判定結果である場合には、前記合成・選択部は、前記第１キャリア群と前記第２キャリア群を合成もしくは選択して出力し、前記第２判定結果である場合には、前記合成・選択部は、前記第１キャリア群を選択して出力する受信装置。
【請求項２】
前記判定部は、外部からの指示信号により判定を行う請求の範囲第１項記載の受信装置。
【請求項３】
前記判定部は、前記第１復調手段および前記第２復調手段の少なくとも一方で復調されたＴＭＣＣ信号により判定を行う請求の範囲第１項記載の受信装置。
【請求項４】
前記判定部は、判定結果を外部へ出力する請求の範囲第１項記載の受信装置。
【請求項５】
前記合成・選択部は、所定の基準値に基づいて、前記第１キャリア群と前記第２キャリア群を最大比合成する請求の範囲第１項記載の受信装置。
【請求項６】
前記第１復調手段および前記第２復調手段の少なくとも一つは、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備える請求の範囲第１項記載の受信装置。
【請求項７】
周波数多重信号を受信して受信信号を出力する受信部と、
１セグメント放送に基づく前記受信信号を復調して第１キャリア群を出力する第１復調手段と、
１セグメント放送に基づく前記受信信号を復調して第２キャリア群を出力する第２復調手段と、
前記受信信号が、１セグメント放送に基づく周波数多重信号を含む場合である第１判定結果と、３セグメント放送に基づく周波数多重信号を含む場合である第２判定結果のいずれかを判定する判定部と、
前記第１キャリア群と前記第２キャリア群を合成もしくは選択する合成・選択部と、
前記合成・選択部の出力に対して誤り訂正を行う誤り訂正部を備え、
前記第１判定結果の場合には、前記第１復調手段および第２復調手段のそれぞれは、前記受信信号を１セグメント放送に基づいて復調すると共に、前記合成・選択部は、前記第１キャリア群と前記第２キャリア群を合成もしくは選択して出力し、
前記第２判定結果の場合には、前記第１復調手段は、前記第２復調手段を利用して前記受信信号を３セグメント放送に基づいて復調する受信装置。
【請求項８】
前記第１復調手段と前記第２復調手段のそれぞれは、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備え、前記時間周波数変換部のそれぞれは、１セグメント放送に必要なサンプリング数の１．５倍以上のサンプリング数を有し、前記判定部が前記受信信号を３セグメント放送に基づく周波数多重信号であると判定した場合には、前記第１復調手段は、前記第２復調手段の有する前記時間周波数変換部を利用して、前記受信信号を３セグメント放送に基づいて復調する請求の範囲第７項記載の受信装置。
【請求項９】
前記第２判定結果の場合には、前記第１復調手段は、前記第２復調手段の有する前記アナログデジタル変換部を利用して、前記受信信号を３セグメント放送に基づいて復調する請求の範囲第７項記載の受信装置。
【請求項１０】
前記誤り訂正部は、記憶部を有し、前記第２判定結果の場合には、前記第１復調手段は、前記誤り訂正部の有する前記記憶部を利用して、前記受信信号を３セグメント放送に基づいて復調する請求の範囲第７項記載の受信装置。
【請求項１１】
前記第２復調手段は、記憶部を有し、前記第２判定結果の場合には、前記第１復調手段は、前記第２復調手段の有する前記記憶部を利用して前記受信信号を３セグメント放送に基づいて復調する請求の範囲第７項記載の受信装置。
【請求項１２】
１セグメント放送に基づく前記受信信号を復調して第３キャリア群を出力する第３復調手段を更に備え、
前記第１判定結果の場合には、前記第１復調手段、前記第２復調手段および前記第３復調手段のそれぞれは、前記受信信号を１セグメント放送に基づいて復調すると共に、前記合成・選択部は、前記第１キャリア群、第２キャリア群および第３キャリア群を合成して出力し、
前記第２判定結果の場合には、前記第１復調手段は、前記第２復調手段と前記第３復調手段を利用して、前記受信信号を３セグメント放送に基づいて復調する請求の範囲第７項記載の受信装置。
【請求項１３】
前記判定部は、外部からの指示信号により判定を行う請求の範囲第７項記載の受信装置。
【請求項１４】
前記判定部は、前記第１復調手段および前記第２復調手段の少なくとも一方で復調されたＴＭＣＣ信号により判定を行う請求の範囲第７項記載の受信装置。
【請求項１５】
前記合成・選択部は、所定の基準値により、前記第１キャリア群および第２キャリア群を最大比合成する請求の範囲第７項記載の受信装置。
【請求項１６】
前記周波数多重信号はＯＦＤＭ信号を含む請求の範囲第１項記載の受信装置。
【請求項１７】
前記１セグメント放送および前記３セグメント放送は、前記ＯＦＤＭ信号を用いた地上デジタル放送により放送される請求の範囲第１項記載の受信装置。
【請求項１８】
周波数多重信号を受信して受信信号を出力する受信ステップと、
１セグメント放送と３セグメント放送に基づく前記受信信号を復調して第１キャリア群を出力する第１復調ステップと、
１セグメント放送に基づく前記受信信号を復調して第２キャリア群を出力する第２復調ステップと、
前記受信信号が１セグメント放送に基づく周波数多重信号を含む場合である第１判定結果と、３セグメント放送に基づく周波数多重信号を含む第２判定結果のいずれかを判定する判定ステップと、
前記第１キャリア群と前記第２キャリア群を合成もしくは選択する合成・選択ステップを備え、
前記第１判定結果の場合には、前記合成・選択ステップは、前記第１キャリア群と前記第２キャリア群を合成して出力し、
前記第２判定結果の場合には、前記合成・選択ステップは、前記第１キャリア群を選択して出力する受信方法。
【発明の詳細な説明】
【技術分野】
【０００１】
本発明は、周波数多重信号、特に地上デジタル放送に用いられる直交周波数分割多重信号（以下、「ＯＦＤＭ信号」という）を受信する受信装置に関するものである。
【背景技術】
【０００２】
日本国においては、２００３年よりＩＳＤＢ−Ｔ方式により地上デジタル放送が開始された。このＩＳＤＢ−Ｔ方式においては、ＯＦＤＭ信号が用いられている。また、ＩＳＤＢ−Ｔ方式においては、一つの帯域が１３個のセグメントに分割され、この１３個のセグメントが階層的に利用されることで、多面的な放送サービスが実現される。【０００３】
このセグメントの階層的利用においては、移動体や携帯端末向けに、１３セグメントの内の１つのセグメントを用いた１セグメント放送や、１３セグメントの内の３つのセグメントを用いた３セグメント放送が予定されている。【０００４】
この１セグメント放送と３セグメント放送は、いずれも移動受信における劣悪な環境下で受信できることが求められる。受信精度の向上のために、１セグメント放送と３セグメント放送に対応する受信装置においては、ＯＦＤＭ信号を周波数変換して得られるキャリア単位でのダイバーシティ受信が有効と考えられている（例えば特許文献１参照）。【０００５】
しかしながら、移動体や携帯端末向けには、１セグメント放送と３セグメント放送の両方によるサービスが検討されており、受信装置においては、両方の放送を受信する必要がある。このとき、キャリア単位でのダイバーシティ受信が行われる場合には、信号を受信し、受信した信号に対して時間周波数変換を行うまでの要素が、ブランチの個数に対応して必要となる（ブランチとは、ダイバーシティ受信におけるアンテナを基準とした受信系列を指す）。【０００６】
このとき、全てのブランチにおいて、１セグメント放送と３セグメント放送の両方に対応する要素を備えることになると、回路規模が増大し、消費電力の増加や製造コストの増加をもたらす問題がある。３セグメント放送は、１セグメント放送の約３倍のキャリア数を有しており、対応する回路もこれに応じて増加するからである。【０００７】
一方、回路規模の増大を抑えるために、キャリア単位でのダイバーシティを行わない場合には、受信精度の低下を招く問題がある。特に、１セグメント放送においては、受信精度が大きく低下する。
【特許文献１】特開２００６−４１９８０号公報
【発明の開示】
【発明が解決しようとする課題】
【０００８】
そこで本発明は、回路規模の増大を抑えつつ、１セグメント放送に対するキャリア単位のダイバーシティ受信と、３セグメント放送に対する通常の受信を両立させることできる受信装置を提供することを目的とする。
【課題を解決するための手段】
【０００９】
第１の発明に係る受信装置は、周波数多重信号を受信して受信信号を出力する受信部と、１セグメント放送と３セグメント放送に基づく受信信号を復調して第１キャリア群を出力する第１復調手段と、１セグメント放送に基づく受信信号を復調して第２キャリア群を出力する第２復調手段と、受信信号が、１セグメント放送に基づく周波数多重信号を含む第１判定結果と、受信信号が、３セグメント放送に基づく周波数多重信号を含む第２判定結果のいずれかを判定する判定部と、第１キャリア群と第２キャリア群を合成もしくは選択する合成・選択部を備え、第１判定結果である場合には、合成・選択部は、第１キャリア群と第２キャリア群を合成もしくは選択して出力し、第２判定結果である場合には、合成・選択部は、第１キャリア群を選択して出力する。【００１０】
この構成により、１セグメント放送の受信時には、受信精度を向上させるダイバーシティ受信が行われ、３セグメント放送の受信時には、少ない回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。【００１１】
第２の発明に係る受信装置では、判定部は、外部からの指示信号により判定を行う。【００１２】
第３の発明に係る受信装置では、判定部は、第１復調手段および第２復調手段の少なくとも一方で復調されたＴＭＣＣ信号により判定を行う。【００１３】
これらの構成により、受信しているＯＦＤＭ信号が、１セグメント放送に基づくものであるか、３セグメント放送に基づくものであるかを容易に判定できる。【００１４】
第４の発明に係る受信装置では、判定部は、判定結果を外部へ出力する。【００１５】
この構成により、判定結果に応じて、チューナや受信部への電力供給を止めることができ、消費電力削減の制御を実現できる。【００１６】
第５の発明に係る受信装置では、合成・選択部は、所定の基準値により、第１キャリア群と第２キャリア群を最大比合成する
この構成により、１セグメント放送時の、受信精度を向上させることができる。【００１７】
第６の発明に係る受信装置では、第１復調手段および第２復調手段の少なくとも一つは、受信信号をアナログ信号からデジタル信号に変換するアナログデジタル変換部と、アナログデジタル変換部の出力を検波する検波部と、検波部の出力を時間軸の信号から周波数軸の信号に変換する時間周波数変換部を備える。【００１８】
この構成により、最小の回路構成で、１セグメント放送と３セグメント放送の両方に対応する復調を実現できる。【００１９】
第７の発明に係る受信装置は、周波数多重信号を受信して受信信号を出力する受信部と、１セグメント放送に基づく受信信号を復調して第１キャリア群を出力する第１復調手段と、１セグメント放送に基づく受信信号を復調して第２キャリア群を出力する第２復調手段と、受信信号が、１セグメント放送に基づく周波数多重信号を含む場合である第１判定結果と、３セグメント放送に基づく周波数多重信号を含む場合である第２判定結果のいずれかを判定する判定部と、第１キャリア群と第２キャリア群を合成もしくは選択する合成・選択部と、合成・選択部の出力に対して誤り訂正を行う誤り訂正部を備え、第１判定結果の場合には、第１復調手段および第２復調手段のそれぞれは、受信信号を１セグメント放送に基づいて復調すると共に、合成・選択部は、第１キャリア群と第２キャリア群を合成もしくは選択して出力し、第２判定結果の場合には、第１復調手段は、第２復調手段を利用して受信信号を３セグメント放送に基づいて復調する。【００２０】
この構成により、１セグメント放送の受信時には、受信精度を向上させるダイバーシティ受信が行われ、３セグメント放送の受信時には、最小限の回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。【００２１】
第８の発明に係る受信装置では、第１復調手段と第２復調手段のそれぞれは、受信信号をアナログ信号からデジタル信号に変換するアナログデジタル変換部と、アナログデジタル変換部の出力を検波する検波部と、検波部の出力を時間軸の信号から周波数軸の信号に変換する時間周波数変換部を備え、時間周波数変換部のそれぞれは、１セグメント放送に必要なサンプリング数の１．５倍以上のサンプリング数を有し、判定部が受信信号を３セグメント放送に基づく周波数多重信号であると判定した場合には、第１復調手段は、第２復調手段の有する時間周波数変換部を利用して、受信信号を３セグメント放送に基づいて復調する。【００２２】
第９の発明に係る受信装置では、第２判定結果である場合には、第１復調手段は、第２復調手段の有するアナログデジタル変換部を利用して、受信信号を３セグメント放送に基づいて復調する。【００２３】
第１０の発明に係る受信装置では、誤り訂正部は、記憶部を有し、第２判定結果である場合には、第１復調手段は、誤り訂正部の有する記憶部を利用して、受信信号を３セグメント放送に基づいて復調する。【００２４】
第１１の発明に係る受信装置では、第２復調手段は、記憶部を有し、第２判定結果である判定した場合には、第１復調手段は、第２復調手段の有する記憶部を利用して受信信号を３セグメント放送に基づいて復調する。【００２５】
第１２の発明に係る受信装置は、１セグメント放送に基づく受信信号を復調して第３キャリア群を出力する第３復調手段を更に備え、第１判定結果である場合には、第１復調手段、第２復調手段および第３復調手段のそれぞれは、受信信号を１セグメント放送に基づいて復調すると共に、合成・選択部は、第１キャリア群、第２キャリア群および第３キャリア群を合成して出力し、第２判定結果である場合には、第１復調手段は、第２復調手段と第３復調手段を利用して、受信信号を３セグメント放送に基づいて復調する。【００２６】
これらの構成により、１セグメント放送の受信時には、受信精度を向上させるダイバーシティ受信が行われ、３セグメント放送の受信時には、最小限の回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。特に、１セグメント放送のＯＦＤＭ信号を復調できる複数の復調手段を最大限に活用して、回路規模を増大させること無く、３セグメント放送のＯＦＤＭ信号を復調できる。
【発明の効果】
【００２７】
本発明によれば、不要な回路規模の増大を招くことなく、１セグメント放送に対するダイバーシティ受信と、３セグメント放送に対する非ダイバーシティ受信が両立できる。【００２８】
すなわち、受信環境の影響をより受けやすい１セグメント放送に対しては、受信精度を向上させるダイバーシティ受信が実現され、１セグメント放送よりも受信環境の影響がやや低い３セグメント放送に対しては、非ダイバーシティ受信が行われる。結果として、回路規模の増大が抑制できる。【００２９】
また、３セグメント放送時には、余分な回路を設けることなく、受信装置が有しているリソースを有効活用して、３セグメント放送の非ダイバーシティ受信が実現できる。
【図面の簡単な説明】
【００３０】
【図１】本発明の実施の形態１における受信装置のブロック図である。
【図２】本発明の実施の形態１における最大比合成を示す説明図である。
【図３】本発明の実施の形態２における受信装置のブロック図である。
【図４】本発明の実施の形態２における受信装置のブロック図である。
【図５】本発明の実施の形態２におけるＦＦＴの近傍のブロック図である。
【図６】本発明の実施の形態２におけるアナログデジタル変換部の周辺のブロック図である。
【図７】本発明の実施の形態２におけるアナログデジタル変換を説明するタイミングチャートである。
【符号の説明】
【００３１】
１    受信装置
２、３    アンテナ
４    受信部
５、６    チューナ
７    第１復調手段
８    第２復調手段
９    判定部
１０    合成・選択部
１１    誤り訂正部
【発明を実施するための最良の形態】
【００３２】
以下、図面を参照しながら、本発明の実施の形態を説明する。【００３３】
（実施の形態１）
図１、図２を用いて実施の形態１について説明する。【００３４】
図１は、本発明の実施の形態１における受信装置のブロック図である。【００３５】
受信装置１は、周波数多重信号を受信して受信信号を出力する受信部４と、第１復調手段７と、第２復調手段８と、判定部９と、合成・選択部１０と、誤り訂正部１１を備える。【００３６】
また、受信部４には、アンテナ２、３が接続されている。【００３７】
まず、各要素について説明する。【００３８】
なお、周波数多重信号は、周波数軸上にキャリアが多重された通信信号を幅広く含むが、実施の形態１では、日本の地上デジタル放送におけるＩＳＤＢ−Ｔ規格で規定されているＯＦＤＭ信号を例に説明する。なお、ＯＦＤＭ信号のみならず、ＦＤＭ信号やＳＳ−ＯＦＤＭ信号などの通信信号を幅広く含むものである。【００３９】
また、地上デジタル放送におけるＩＳＤＢ−Ｔ規格においては、所定数のキャリア群からなる１セグメントを単位として、１３セグメントが１つの帯域を形成する。本明細書において、１セグメント放送とは、ＩＳＤＢ−Ｔ規格において、携帯端末や移動端末向けに１３セグメントの内の１セグメントを用いた放送を示し、３セグメント放送とは、同じく１３セグメントの内の３セグメントを用いた放送を示す。【００４０】
（アンテナ）
アンテナ２、３は、ＯＦＤＭ信号を受信する。アンテナ２、３は、復調手段の個数に対応した個数だけ設けられ、図１においては、復調手段が第１復調手段７と第２復調手段８の２つが設けられているので、アンテナもアンテナ２とアンテナ３の２つのアンテナが設けられている。【００４１】
（チューナ）
アンテナ２にはチューナ４が、アンテナ３にはチューナ６が接続されている。実施の形態１では、第１復調手段７は、１セグメント放送と３セグメント放送の両方を復調できるのに対して、第２復調手段８は、１セグメント放送を復調できる。このため、第１復調手段７に接続されるチューナ５は、１セグメント放送から３セグメント放送に対応する受信を行う。第２復調手段８に接続されるチューナ６は、１セグメント放送に対応する受信を行う。いずれも、放送帯域に応じた中心周波数に基づき、アンテナ２、３で受信されたＯＦＤＭ信号の特定帯域を選択して受信する。【００４２】
チューナ５、６は、受信したＯＦＤＭ信号を受信信号として第１復調手段７と第２復調手段８に出力する。【００４３】
（アナログデジタル変換部）
第１復調手段７と第２復調手段８は、それぞれアナログデジタル変換部（図中では「ＡＤ変換部」と表記）２０、３０を備えている。【００４４】
アナログデジタル変換部２０は、チューナ５からの受信信号を、アナログ信号からデジタル信号に変換する。同様に、アナログデジタル変換部３０は、チューナ６からの受信信号を、アナログ信号からデジタル信号に変換する。アナログデジタル変換部２０、３０は、受信装置１の仕様に応じた分解能を有する。【００４５】
アナログデジタル変換部２０、３０は、変換したデジタル信号を、検波部２１、３１に出力する。【００４６】
（検波部）
第１復調手段７と第２復調手段８のそれぞれは、検波部２１、３１を備えている。【００４７】
検波部２１、３１は、デジタル信号に変換された受信信号を、同期処理にて検波する。検波部２１、３１は、検波した信号をＦＦＴ２２、３２に出力する。【００４８】
検波部２１、３１は、同期検波や遅延検波により、受信信号を検波する。【００４９】
（ＦＦＴ）
第１復調手段７と第２復調手段８のそれぞれは、高速フーリエ変換部（以下、および図中では「ＦＦＴ」という）を備えている。ＦＦＴ２２、３２のそれぞれは、検波部２１、３１の出力を、時間軸の信号から周波数軸の信号に変換する時間周波数変換部の一例であり、時間軸の信号から周波数軸の信号に変換できる機能を有したものであれば、フラクタルを利用した時間周波数変換部であっても良い。【００５０】
ＦＦＴ２２は、第１復調手段７における受信信号を、時間軸から周波数軸の信号に変換することで、周波数軸に多重化されているキャリア群を復調する。ここで、ＦＦＴ２２が復調するキャリア群を第１キャリア群といい、第１キャリア群は複数のキャリアを含み、複数のキャリアのそれぞれは、相互に直交して多重化されている。【００５１】
第１キャリア群は、ＩＳＤＢ−Ｔ規格におけるＯＦＤＭ信号に対応して、データキャリアとパイロットキャリアと伝送制御キャリアを含む。【００５２】
ＦＦＴ２２は、復調した第１キャリア群を波形等化部２３と判定部９に出力する。なお、この第１キャリアのそれぞれは、変調されたデジタルデータを含んでいる。【００５３】
ＦＦＴ３２は、第２復調手段８における受信信号を、時間軸から周波数軸の信号に変換することで、周波数軸に多重化されているキャリア群を復調する。ここで、ＦＦＴ３２が復調するキャリア群を第２キャリア群といい、第２キャリア群は、複数のキャリアを含んでおり、複数のキャリアのそれぞれは、相互に直交して多重化されている。【００５４】
第１キャリア群と同じく、第２キャリア群は、ＩＳＤＢ−Ｔ規格におけるＯＦＤＭ信号に対応して、データキャリア、パイロットキャリア、伝送制御キャリアを含む。【００５５】
ＦＦＴ３２は、復調した第２キャリア群を波形等化部３３と判定部９に出力する。【００５６】
なお、ＦＦＴ２２、３２は、検波部２１、３１の出力を受けて時間周波数変換を行うので、その切り出し範囲（窓位置）を調整する機能も有していることが好ましい。【００５７】
なお、第１復調手段７は、１セグメント放送と３セグメント放送の両方に対応するので、ＦＦＴ２２は、３セグメント放送で使用されるキャリア数に対応したサンプリング数を備えている。これに対して、第２復調手段８は、１セグメント放送に対応するので、ＦＦＴ３２は、１セグメント放送で使用されるキャリア数に対応したサンプリング数を備えている。このため、ＦＦＴ２２に比較して、ＦＦＴ３２は、回路規模が小さい。【００５８】
（波形等化部）
第１復調手段７と第２復調手段８のそれぞれは、波形等化部２３、３３を備えている。【００５９】
波形等化部２３は、第１キャリア群を受けて、第１キャリア群に含まれるパイロットキャリアを元に、データキャリアの位相制御を行うと共に、データキャリアの信頼性値を算出する。【００６０】
パイロットキャリアは、振幅と位相が既知のキャリアである。波形等化部２３において、受信したパイロットキャリアが、既知のパイロットキャリアで複素除算されることで、受信したパイロットキャリアの振幅と位相の変動量が算出される。この変動量から伝送路状態が推定される。【００６１】
波形等化部２３は、この推定された伝送路状態に基づいて、ＦＦＴ２２で復調された第１キャリア群に含まれるデータキャリアの振幅と位相を補正して、復調精度を向上させる。また、波形等化部２３は、後述する合成・選択部１０で使用する信頼性値を算出する。【００６２】
波形等化部２３は、振幅や位相を補正した第１キャリア群と、算出した信頼性値を合成・選択部１０に出力する。【００６３】
第２復調手段８に含まれる波形等化部３３も、波形等化部２３と同じ機能を有し、同じ処理を行う。【００６４】
ＦＦＴ２２とＦＦＴ３２との違いと同じ理由で、波形等化部２３に対して、波形等化部３３は、その回路規模が小さい。【００６５】
以上のように、第１復調手段７は、１セグメント放送に加えて３セグメント放送の復調にも対応する必要があるのに対して、第２復調手段８は、１セグメント放送の復調に対応するので、第２復調手段８は、第１復調手段７に比べて回路規模が小さくてすむ。【００６６】
（判定部）
判定部９は、受信装置１が受信している受信信号が、１セグメント放送に基づくＯＦＤＭ信号を含むか、３セグメント放送に基づくＯＦＤＭ信号を含むかを判定する。ここで、判定部９は、受信信号が、１セグメント放送に基づくＯＦＤＭ信号を含む場合には、第１判定結果であると判定し、受信信号が、３セグメント放送に基づくＯＦＤＭ信号を含む場合には、第２判定結果であると判定する。【００６７】
１セグメント放送と３セグメント放送は、それぞれＩＳＤＢ−Ｔ規格において携帯端末や移動端末向けの放送の１形態であり、放送局や放送システムにより、１セグメント放送が行われるのか、３セグメント放送が行われるのか、両方が行われるのかが決定される。このため、受信装置１は、放送システムの変化に対応するべく、１セグメント放送と３セグメント放送の両方を受信できる必要がある。このため、受信装置１には、１セグメント放送のＯＦＤＭ信号が受信される場合もあり、３セグメント放送のＯＦＤＭ信号が受信される場合もある。【００６８】
判定部９は、受信しているＯＦＤＭ信号が１セグメント放送であるか３セグメント放送であるかを判定する。【００６９】
判定部９は、第１復調手段７および第２復調手段８の少なくとも一方で復調されたＴＭＣＣ信号を用いて、１セグメント放送と３セグメント放送の区別を判定する。ＴＭＣＣ信号は、第１キャリア群もしくは第２キャリア群に含まれる伝送制御キャリアの復調により得られる。ＴＭＣＣ信号は、変調方式や誤り訂正方式などの伝送情報を含んでおり、この伝送情報は、放送形態の情報（すなわち、１セグメント放送と３セグメント放送の区別）も含んでいる。このため、判定部９は、復調されたＴＭＣＣ信号により、受信信号が１セグメント放送であるか３セグメント放送であるかを判定する。【００７０】
あるいは、判定部９は、受信装置１の外部からの指示信号を用いて、１セグメント放送と３セグメント放送の区別を判定してもよい。外部からの指示信号の発生要因としては、ユーザが受信装置に備わっている設定ボタンを押すことや、表示メニューから選択することなどである。【００７１】
判定部９は、判定結果を合成・選択部１０、第１復調手段７、第２復調手段８に出力すると共に、必要に応じて、受信装置１の外部に出力する。例えば、受信装置１を含む携帯端末や移動端末に備えられた表示装置に、判定結果を表示するために、表示装置の制御部に、判定結果が出力される。【００７２】
（合成・選択部）
合成・選択部１０は、波形等化部２３、３３から出力される信頼性値（所定の基準値の一つである）を用いて、第１キャリア群と第２キャリア群を選択もしくは合成する。【００７３】
合成・選択部１０は、設定された指示に従い、選択をするか合成をするか決定する。設定は、ＣＰＵが動作させるプログラムによるレジスタ設定などにより行われる。【００７４】
まず、選択を行う場合について説明する。【００７５】
第１復調手段７から第１キャリア群が出力され、第２復調手段８から第２キャリア群が出力されて、合成・選択部１０に入力する。同様に、第１キャリア群のキャリアに対する第１信頼性値と、第２キャリア群のキャリアに対する第２信頼性値も、合成・選択部１０に入力する。合成・選択部１０は、第１キャリア群に含まれる任意のキャリアに対する第１信頼性値と、これに対応する（周波数軸におけるキャリア位置が同じである）第２キャリア群のキャリアに対する第２信頼性値を比較して、値の大きい（値が大きい方を信頼性が高いとする場合に）キャリアを選択して出力する。【００７６】
次に、合成を行う場合について説明する。【００７７】
合成・選択部１０は、第１キャリア群に含まれるあるキャリアと、これに対応する第２キャリア群に含まれるキャリアを、信頼性値に基づいて最大比合成する。最大比合成とは、信頼性値に従った平均を算出することで、第１キャリア群と第２キャリア群のキャリアを合成することである。【００７８】
図２を用いて説明する。図２は、本発明の実施の形態１における最大比合成を示す説明図である。【００７９】
図２では、信頼性値が値「１」〜値「３」までの３段階の値を持っている。信頼性値の値が大きい方が、信頼性が高いものとする。すなわち、信頼性値「３」は信頼性値「１」よりも信頼性が高いことを示す。また第１キャリア群に含まれるキャリアを「Ｃ１」とし、第２キャリア群に含まれるキャリアを「Ｃ２」としている。【００８０】
横列の最上位列は、キャリア「Ｃ１」の信頼性値を示し、縦列の左列は、キャリア「Ｃ２」の信頼性値を示している。【００８１】
合成・選択部１０は、図２に示されるように、信頼性値に基づいて最大比合成の計算を行い、その結果を出力する。例えば、キャリア「Ｃ１」の信頼性値が値「２」であり、キャリア「Ｃ２」の信頼性値が値「１」の場合には、合成・選択部１０は、（２ｘＣ１＋Ｃ２）／３との計算を行って、出力する。信頼性値が異なる場合には、図２に示されるとおりである。【００８２】
また、合成・選択部１０は、最大比合成以外にも、第１キャリア群に含まれるキャリアと第２キャリア群に含まれるキャリアを、一定の比率で合成する等比合成を行っても良い。【００８３】
なお、合成・選択部１０は、キャリア毎に、選択や合成を行う。【００８４】
このような合成・選択部１０でのキャリア毎の選択や合成により、復調精度が向上し、ビットエラーレートなどが減少して、受信精度が向上する。【００８５】
合成・選択部１０は、選択や合成の結果を誤り訂正部１１に出力する。【００８６】
（誤り訂正部）
誤り訂正部１１は、復調されたキャリアやキャリアに含まれるデジタルデータの誤りを訂正する。【００８７】
誤り訂正部１１は、ビタビ復号やリードソロモン復号などを行い、キャリアやデータの誤りを検出し訂正する。誤り訂正されたデジタルデータが、画像や音声に関するパケットデータとして、出力される。このパケットデータは必要な復号などが行われて、画像、音声として再生される。受信装置１は、必要に応じてディスプレイやスピーカを備えており、ユーザは、再生された画像や音声を視聴できる。【００８８】
次に、１セグメント放送における受信装置１の動作と、３セグメント放送における受信装置１の動作について説明する。【００８９】
（１セグメント放送時）
判定部９が、受信されたＯＦＤＭ信号が、１セグメント放送に基づくＯＦＤＭ信号であると判定した場合には、受信装置１は、１セグメント放送に対応した受信処理を行う。具体的には、受信装置１は、第１復調手段７と第２復調手段８の２つのブランチにより、ダイバーシティ受信を行う。判定部９は、１セグメント放送であるとの指示を、合成・選択部１０、第１復調手段７、第２復調手段８に出力する。【００９０】
アンテナ２とアンテナ３で受信されたＯＦＤＭ信号は、第１復調手段７と第２復調手段８のそれぞれにおいて、１セグメント放送に対応するものとして、復調され、第１キャリア群、第２キャリア群、第１信頼性値、第２信頼性値が出力される。第１復調手段７と第２復調手段８での復調処理は、図１を用いて説明したとおりである。【００９１】
合成・選択部１０は、第１復調手段７からの第１キャリア群と、第２復調手段８からの第２キャリア群を用いて、選択、もしくは合成して誤り訂正部１１に出力する。選択や合成については、図１、２を用いて説明した上述の通りである。【００９２】
このように、実施の形態１における受信装置１は、受信するＯＦＤＭ信号が１セグメント放送の場合には、１セグメント放送と３セグメント放送の両方に対応する第１復調手段７と、１セグメント放送に対応する第２復調手段８との両方で独立して復調され、合成・選択部１０により、ダイバーシティ受信が実現される。【００９３】
結果として、１セグメント放送が行われている場合には、３セグメント放送も受信可能である受信装置１により、受信精度を高めることができる。【００９４】
なお、受信装置１は、第１復調手段７、第２復調手段８に加えて、少なくとも１セグメント放送の復調が可能な第３の復調手段を備え、１セグメント放送時に３以上の復調結果を用いてダイバーシティ受信を行ってもよい（勿論、４以上の復調手段を備えても良く、限定されるものではない）。ブランチ数が増加することで、ダイバーシティ受信による受信精度の向上が更に図られるからである。【００９５】
また、復調手段の内のいくつかにおいて、受信精度が非常に低い場合には、ダイバーシティ受信において、合成・選択部１０が、当該受信手段からのキャリアを不使用とすることで、受信精度の劣化を防止することも好適である。このときには、受信精度の非常に低い復調手段に対するクロック信号の供給の停止や、電力供給の停止により、消費電力を削減することも好適である。【００９６】
（３セグメント放送時）
判定部９が、受信されたＯＦＤＭ信号が、３セグメント放送に基づくＯＦＤＭ信号であると判定した場合には、合成・選択部１０は、第１復調手段７の出力である第１キャリア群のみを選択して、誤り訂正部１１に出力する。【００９７】
３セグメント放送である場合には、第２復調手段８においては、３セグメント放送に対応する復調処理ができない。このため、３セグメント放送に対応する復調処理のできる第１復調手段７からの出力のみが合成・選択部１０で選択されて、その後のデータ復調に使用される。【００９８】
なお、判定部９は、３セグメント放送であると判定した場合には、第２復調手段８の動作を停止する処理を行うことも、消費電力削減の観点から好適である。例えば、第２復調手段８に対する供給クロック信号を停止する。【００９９】
また、判定部９は、判定結果を受信装置１の外部に出力することも好適である。外部に出力し、アンテナ３やチューナ６などへの電力供給を停止するなどのトリガとするためである。結果として、消費電力の削減が更に進む。【０１００】
以上のように、３セグメント放送が行われている場合には、消費電力を削減しつつ、非ダイバーシティ受信を行うことができる。３セグメント放送では、１セグメント放送よりも、非ダイバーシティ受信での受信精度が高くなりやすいので、回路規模の増加を抑えつつ、実用上十分な受信精度を、非ダイバーシティ受信で得ることができる。このとき、消費電力を抑えることも可能である。【０１０１】
一方、非ダイバーシティ受信では、受信精度の向上が難しい１セグメント放送においては、３セグメント放送も兼用できる最小限の回路構成と規模で、ダイバーシティ受信を実現し、受信精度の向上を実現できる。【０１０２】
すなわち、実施の形態１における受信装置１は、回路規模、受信精度、消費電力のバランスを最適にした、１セグメント放送と３セグメント放送の両方を復調できる。【０１０３】
なお、受信装置１を構成する各要素は、ハードウェアで構成されても、ソフトウェアで構成されても、ハードウェアとソフトウェアの混在で構成されても良い。【０１０４】
また、第１復調手段７、第２復調手段８、合成・選択部１０、誤り訂正部１１は、これらに対応するプロセッサと、プロセッサが読み込むプログラムにより、動作が実現されても良い。【０１０５】
プロセッサは、まず受信処理に係るプログラムを読み込み、アンテナ２、３で受信されたＯＦＤＭ信号を、チューナ５、６を介して受信する。プログラムは、ＲＯＭやＲＡＭに記憶されており、プロセッサからアクセスされる。【０１０６】
次に、プロセッサは、復調処理に係るプログラムを読み込んで、受信した受信信号を復調する。このとき、１セグメント放送と３セグメント放送のいずれでも復調して、第１キャリア群を出力する第１復調ステップと、１セグメント放送を復調して、第２キャリア群を出力する第２復調ステップの二つが存在する。次に、受信信号が１セグメント放送に基づくＯＦＤＭ信号であるのか、３セグメント放送に基づくＯＦＤＭ信号であるのかを判定する。【０１０７】
プロセッサは、合成・選択にかかわるプログラムを読み込み、判定結果に従って、第１キャリアと第２キャリアの合成と選択を行う。判定ステップにおいて、受信しているＯＦＤＭ信号が１セグメント放送に基づくと判定された場合には、合成・選択ステップにおいて、第１キャリア群と第２キャリア群が合成される。判定ステップにおいて、受信しているＯＦＤＭ信号が３セグメント放送に基づくと判定された場合には、合成・選択ステップにおいて、第１キャリア群が選択される。【０１０８】
以上のように、プロセッサと専用プログラムにより、実施の形態１における受信処理が実現されても良い。【０１０９】
（実施の形態２）
次に実施の形態２について説明する。【０１１０】
実施の形態２では、回路規模、受信精度、消費電力のバランスを最適にしつつ、１セグメント放送についてはダイバーシティ受信を行い、３セグメント放送については非ダイバーシティ受信を最小の回路規模で実現する受信装置であって、実施の形態１における受信装置よりも、さらに回路規模を縮小した受信装置について説明する。【０１１１】
まず、図３を用いて説明する。図３は、本発明の実施の形態２における受信装置のブロック図である。【０１１２】
なお、周波数多重信号は、周波数軸上にキャリアが多重された通信信号を幅広く含むが、実施の形態２では、日本の地上デジタル放送におけるＩＳＤＢ−Ｔ規格で規定されているＯＦＤＭ信号を例に説明する。なお、ＯＦＤＭ信号のみならず、ＦＤＭ信号やＳＳ−ＯＦＤＭ信号などの通信信号を幅広く含むものである。【０１１３】
また、地上デジタル放送におけるＩＳＤＢ−Ｔ規格においては、所定数のキャリア群からなる１セグメントを単位として、１３セグメントが１つの帯域を形成する。本明細書において、１セグメント放送とは、ＩＳＤＢ−Ｔ規格において、携帯端末や移動端末向けに１３セグメントの内の１セグメントを用いた放送を示し、３セグメント放送とは、同じく１３セグメントの内の３セグメントを用いた放送を示す。【０１１４】
受信装置１は、ＯＦＤＭ信号を受信して受信信号を出力する受信部４と、１セグメント放送に基づく受信信号を復調して第１キャリア群を出力する第１復調手段７と、１セグメント放送に基づく受信信号を復調して第２キャリア群を出力する第２復調手段８と、判定部９と、第１キャリア群と第２キャリア群を合成もしくは選択する合成・選択部１０と、誤り訂正部１１を備える。【０１１５】
実施の形態１における受信装置１と異なり、第２復調手段８と同じく、第１復調手段７も、１セグメント放送に基づく復調処理を行い、３セグメント放送に基づく復調処理に対応するリソースを備えていない。【０１１６】
アンテナ２、３、受信部４（受信部４に含まれるチューナ５、６）は、実施の形態１で説明したものと同等の機能を有する。【０１１７】
ＡＤ変換部２０、３０、検波部２１、３１、ＦＦＴ２２、３２、波形等化部２３、３３は、基本的な機能については、実施の形態１で説明したものと、同等の機能を有する。【０１１８】
但し、第１復調手段７に含まれるＡＤ変換部２０、検波部２１、ＦＦＴ２２、波形等化部２３のそれぞれは、１セグメント放送に対応したリソース量を有している。これは第２復調手段８に含まれるＡＤ変換部３０、検波部３１、ＦＦＴ３２、波形等化部３３も同様である。【０１１９】
また、後述する３セグメント放送の場合においては、第１復調手段７に含まれる要素（ＡＤ変換部２０、検波部２１、ＦＦＴ２２、波形等化部２３）のそれぞれは、必要に応じて第２復調手段８に含まれる要素（ＡＤ変換部３０、検波部３１、ＦＦＴ３２、波形等化部３３）を利用してそれぞれに必要な処理を行う。【０１２０】
判定部９は、実施の形態１と同じく、受信信号を、１セグメント放送に基づくＯＦＤＭ信号であるか、３セグメント放送に基づくＯＦＤＭ信号であるかを判定する。【０１２１】
判定部９は、第１キャリア群、第２キャリア群に含まれるＴＭＣＣ信号を復調して、判定する。もしくは、判定部９は、外部からの指示信号に従って、判定する。判定部９は、判定結果を、第１復調手段７、第２復調手段８、合成・選択部１０、誤り訂正部１１および受信装置１の外部に出力する。【０１２２】
合成・選択部１０、誤り訂正部１１も、基本的な機能としては、実施の形態１で説明したのと同等の機能を有する。なお、誤り訂正部１１は、誤り訂正を行う際に使用する記憶部４０を備えており、この記憶部４０は、誤り訂正時に行われるキャリアやデジタルデータの並べ替え（周波数インターリーブや時間インターリーブを元に戻すための並べ替えなど）におけるキャリアやデジタルデータを一時的に記憶する。【０１２３】
また、図４は、本発明の実施の形態２における受信装置のブロック図である。図４に示される受信装置１は、図３に示されるものと異なり、第２復調手段８が記憶部５０を備えている。記憶部５０は、第２復調手段８が、復調処理を行うに際して使用する記憶領域である。【０１２４】
次に、受信装置１による１セグメント放送と３セグメント放送の受信動作について説明する。【０１２５】
（１セグメント放送）
１セグメント放送が行われる場合には、ＴＭＣＣ信号の復調や外部からの指示信号に従い、判定部９は、受信されているＯＦＤＭ信号が１セグメント放送であると判定し、各部に通知する。【０１２６】
１セグメント放送と判定された場合には、第１復調手段７と第２復調手段８は、それぞれが有するリソース（ＡＤ変換部２０、３０、検波部２１、３１、ＦＦＴ２２、３２、波形等化部２３、３３）を用いて１セグメント放送に基づくＯＦＤＭ信号を復調する。復調により、第１復調手段７は、第１キャリア群を出力し、第２復調手段８は、第２キャリア群を出力する。第１キャリア群と第２キャリア群は、いずれも１セグメント放送に対応する復調により生成されたキャリア群である。【０１２７】
合成・選択部１０は、判定部９からの判定結果を受けて、第１キャリア群と、第２キャリア群のそれぞれに含まれるキャリアを合成、もしくは選択する。例えば、合成・選択部１０は、波形等化部２３で算出される第１信頼性値と、波形等化部３３で算出される第２信頼性値を用いて、第１キャリア群に含まれるキャリアと、第２キャリア群に含まれるキャリアを選択する。あるいは、合成・選択部１０は、第１信頼性値と第２信頼性値を用いて、第１キャリア群に含まれるキャリアと、第２キャリア群に含まれるキャリアを最大比合成する。最大比合成については、図２を用いて説明したのと同様の処理が行われる。【０１２８】
また、合成・選択部１０は、第１キャリア群に含まれるキャリアと、第２キャリア群に含まれるキャリアを所定の比率に基づいて、等比合成しても良い。【０１２９】
１セグメント放送時においては、このようなキャリア単位での、ダイバーシティ受信が行われることで、受信精度が向上する。【０１３０】
なお、受信装置１は、第１復調手段７、第２復調手段８に加えて、少なくとも１セグメント放送の復調が可能な第３の復調手段を備え、１セグメント放送時に３以上の復調結果を用いてダイバーシティ受信を行ってもよい（勿論、４以上の復調手段を備えても良く、限定されるものではない）。ブランチ数が増加することで、ダイバーシティ受信による受信精度の向上が更に図られるからである。【０１３１】
また、復調手段の内のいくつかにおいて、受信精度が非常に低い場合には、ダイバーシティ受信において、合成・選択部１０が、当該受信手段からのキャリアを不使用とすることで、受信精度の劣化を防止することも好適である。このときには、受信精度の非常に低い復調手段に対するクロック信号の供給の停止や、電力供給の停止により、消費電力を削減することも好適である。【０１３２】
また、誤り訂正部１１は、記憶部４０を備えているが、３セグメント放送と異なり、１セグメント放送の場合においては、並べ替えるデジタルデータのビット数も少ないため、記憶部４０の持つ記憶領域が余る。このため、第１復調手段７や第２復調手段８は、この余っている記憶領域を利用して、復調処理を実行することも、回路規模削減にとって効果的である。【０１３３】
（３セグメント放送）
３セグメント放送が行われる場合には、ＴＭＣＣ信号の復調や外部からの指示信号に従い、判定部９は、受信されているＯＦＤＭ信号が３セグメント放送であると判定し、各部に通知する。【０１３４】
３セグメント放送時には、受信装置１は、第１復調手段７と第２復調手段８の両方を利用して、３セグメント放送を受信する。すなわち、第１復調手段７は、第２復調手段８を利用して、３セグメント放送の受信と復調を実現する。この場合には、３セグメント放送に基づくＯＦＤＭ信号の復調において、非ダイバーシティ受信を行う。【０１３５】
アンテナ２とアンテナ３は、３セグメント放送に基づくＯＦＤＭ信号を受信し、チューナ５、６は、所定の帯域を受信して、受信信号を第１復調手段７と第２復調手段８に出力する。ここで、３セグメント放送においては、チューナ５から出力される受信信号が、第１復調手段７と第２復調手段８の両方に入力する。第１復調手段７は、回路規模の削減とのバランスのために、単独では３セグメント放送の復調ができない。このため、第１復調手段７は、第２復調手段８が有するリソース（ＡＤ変換部３０、検波部３１、ＦＦＴ３２、波形等化部３３）を利用して復調処理を行う。第１復調手段７は、第２復調手段８を利用することにより、受信装置１が有しているリソースを活用して、３セグメント放送の復調を実現する。すなわち、第１復調手段７のみのリソースでは、１セグメント放送に対応するキャリア数しか復調できないが、第２復調手段８のリソースを利用することにより、３セグメント放送に対応するキャリア数の復調処理ができる。【０１３６】
まず、図３に示されるように、誤り訂正部１１の備える記憶部４０の余っている記憶領域を利用して、第１復調手段７と第２復調手段８は、復調処理を行う。【０１３７】
また、図４に示されるように、第１復調手段７は、第２復調手段８に含まれる記憶部５０を利用して、復調処理を行っても良い。記憶部５０は、第２復調手段８における復調処理において、データを一時的に記憶する。この記憶部５０は、例えば、３セグメント放送受信時においては、非ダイバーシティ受信を行うので、波形等化部３３において信頼性値を算出しなくても良い。このため、波形等化部３３をはじめとした各要素により用いられる記憶部５０は、３セグメント放送受信時には、空き領域を有することになる。第１復調手段７は、第２復調手段８のリソースの利用と共に、この記憶部５０の空き領域も利用して、復調処理を行う。【０１３８】
また、図５に示されるように、第１復調手段７は、第２復調手段８に含まれるＦＦＴ３２を利用して、時間周波数変換を行い、３セグメント放送に対応するキャリア数の復調処理を実現する。ＦＦＴ２２とＦＦＴ３２は、それぞれバタフライ演算により、入力した時間軸の受信信号を、周波数軸の信号に変換し、周波数軸で多重化されているキャリアを復調する。図５は、本発明の実施の形態２におけるＦＦＴの近傍のブロック図である。【０１３９】
ＦＦＴ２２は、時間周波数変換を制御するＦＦＴ演算制御部２２ａ、時間周波数変換に必要なバタフライ演算を行う演算器２２ｂ、演算における中間値や結果値を保持するメモリ部２２ｃを備えている。同様に、ＦＦＴ３２は、ＦＦＴ演算制御部３２ａ、演算器３２ｂ、メモリ部３２ｃを備えており、加えてマルチプレクサ（図中では「ＭＵＸ」と表示）６０を備えている。【０１４０】
第１復調手段７に含まれるＦＦＴ２２は、第２復調手段８に含まれるＦＦＴ３２を利用して、３セグメント放送に対応するキャリア数を復調する。具体的には、３セグメント放送時には、同じ受信信号が第１復調手段７と第２復調手段８に入力する。ＦＦＴ２２とＦＦＴ３２は、この同じ受信信号の一部と残部をそれぞれ時間周波数変換し、ＦＦＴ３２にて時間周波数変換された結果は、メモリ部２２ｃに出力され、３セグメント放送に対応するキャリア数に見合う復調されたキャリアが、ＦＦＴ２２から出力される。ここで、ＦＦＴ２２とＦＦＴ３２は、ＩＳＤＢ−Ｔ規格における１セグメント放送に対応するキャリア数の、少なくとも１．５倍以上のサンプリング数を有しており、ＦＦＴ２２とＦＦＴ３２の二つのＦＦＴにより、３セグメント放送に対応するキャリア数を、復調することができる。【０１４１】
次に、第１復調手段７に含まれるＡＤ変換部２０は、第２復調手段８に含まれるＡＤ変換部３０を利用して３セグメント放送に対応するアナログデジタル変換を行っても良い。【０１４２】
図６は、本発明の実施の形態２におけるアナログデジタル変換部の周辺のブロック図である。【０１４３】
第１復調手段７に含まれるアナログデジタル変換部２０と、第２復調手段８に含まれるアナログデジタル変換部３０には、チューナ５から出力される受信信号が入力する。アナログデジタル変換部２０、３０のそれぞれは、図７に示されるように、同じ受信信号に対して、異なる位置にサンプリングポイントを設定して、アナログデジタル変換する。この結果、アナログデジタル変換部２０、３０の二つにより、３セグメント放送に対応するＯＦＤＭ信号を、アナログデジタル変換することができる。【０１４４】
二つのアナログデジタル変換部による３セグメント放送に対応するＯＦＤＭ信号のアナログデジタル変換について、図７を用いて説明する。図７は、本発明の実施の形態２におけるアナログデジタル変換を説明するタイミングチャートである。【０１４５】
波形４０１に示されるように、チューナ５から、アナログデジタル変換部２０、３０のそれぞれに、３セグメント放送のＯＦＤＭ信号が入力する。波形４０２は、３セグメント放送に必要なサンプリングポイントを示している。波形４０２に示されるとおり、必要となるサンプリングポイントは、サンプリング周期Ｔにより定まる。【０１４６】
このとき、アナログデジタル変換部２０とアナログデジタル変換部３０のそれぞれは、サンプリング周期Ｔの倍の周期である２Ｔで、３セグメント信号をサンプリングする。このとき、アナログデジタル変換部２０でのサンプリングポイントは、アナログデジタル変換部３０でのサンプリングポイントと周期Ｔだけずれている。マルチプレクサ７０は、波形４０５に示すように切り替え信号を用いて、アナログデジタル変換部２０でサンプリングされた結果と、アナログデジタル変換部３０でサンプリングされた結果を、順次互い違いに出力する。【０１４７】
以上の処理により、波形４０６に示されるように、３セグメント放送の復調に必要なサンプリングポイントによるアナログデジタル変換が実現される。【０１４８】
以上のように、第１復調手段７は、第２復調手段８に含まれる各要素（アナログデジタル変換部３０、検波部３１、ＦＦＴ３２、波形等化部３３）を利用して、３セグメント放送に基づくＯＦＤＭ信号の復調処理を実現する。このとき、第１復調手段７と第２復調手段８のそれぞれは、１セグメント放送に対応するリソースを有しているので、受信装置１全体としての回路規模は少なくてすむ。当然ながら消費電力も少なくてすむ。【０１４９】
第１復調手段７が第２復調手段８のリソースを利用して復調した第１キャリア群は、３セグメント放送に対応するキャリア数を有しており、合成・選択部１０は、この第１キャリア群を選択して、誤り訂正部１１に出力する。【０１５０】
実施の形態２における受信装置１は、１セグメント放送時には、受信精度を向上させるダイバーシティ受信を行い、３セグメント放送時には、最小限の回路規模により、非ダイバーシティ受信を行うことができる。特に、実施の形態１における復調装置１よりも、少ない回路規模で３セグメント放送に基づくＯＦＤＭ信号を復調できる。【０１５１】
なお、受信装置１は、１セグメント放送の復調処理を行うことのできる第３復調手段を設け、第１復調手段７、第２復調手段８、第３復調手段の３つの（１セグメント放送に基づくＯＦＤＭ信号の復調が可能な）復調手段を用いて、３セグメント放送に基づくＯＦＤＭ信号を復調しても良い。【０１５２】
なお、１セグメント放送の復調に対応する複数の復調手段を用いて、３セグメント放送の復調を実現する場合には、第１復調手段７が、他の復調手段のリソースを用いて復調し、３セグメント放送に対応するキャリア数のキャリアをまとめて合成・選択部１０に出力しても良く、第１復調手段７から出力される第１キャリア、第２復調手段８から出力される第２キャリア、第３復調手段から出力される第３キャリアを、合成・選択部１０が合成して、３セグメント放送でのキャリア数に見合うキャリアを出力しても良い。【０１５３】
なお、受信装置１は、ＯＦＤＭ信号をはじめとする周波数多重信号を利用する様々な電子機器に搭載される。【０１５４】
電子機器の例としては、カーナビゲーションシステム、車載用テレビ装置、携帯電話、携帯端末、ＰＤＡ、ノートブック型パソコンに代表される移動可能な携帯型の電子機器や、据え置きテレビ、ＤＶＤプレーや、パソコン、ラジオ、ＶＴＲなどに代表される据え置き型の電子機器などがある。【０１５５】
これらの電子機器は、画像や音声情報が変調されている周波数多重信号を受信して、受信された信号を復調することにより画像や音声を表示できる。ユーザは、これらの表示された画像や音声を楽しむことができる。【０１５６】
このように本発明の受信装置１が搭載された電子機器の場合には、地上デジタル放送における１セグメント放送を高い精度で受信でき、３セグメント放送を少ない回路規模で受信できる。
【産業上の利用可能性】
【０１５７】
本発明は、例えば、地上デジタル放送を受信する携帯端末や移動端末に含まれる受信装置の分野等において好適に利用できる。
【図１】
2007144978.tif 000003
【図２】
2007144978.tif 000004
【図３】
2007144978.tif 000005
【図４】
2007144978.tif 000006
【図５】
2007144978.tif 000007
【図６】
2007144978.tif 000008
【図７】
2007144978.tif 000009
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
周波数多重信号を受信して受信信号を出力する受信部と、
１セグメント放送と３セグメント放送に基づく前記受信信号を復調して第１キャリア群を出力する第１復調手段と、
１セグメント放送に基づく受信信号を復調して第２キャリア群を出力する第２復調手段と、
前記受信信号が、１セグメント放送に基づく周波数多重信号を含む第１判定結果と、前記受信信号が、３セグメント放送に基づく周波数多重信号を含む第２判定結果のいずれかを判定する判定部と、
前記第１キャリア群と前記第２キャリア群を合成もしくは選択する合成・選択部を備え、
前記第１判定結果である場合には、前記合成・選択部は、前記第１キャリア群と前記第２キャリア群を合成もしくは選択して出力し、前記第２判定結果である場合には、前記合成・選択部は、前記第１キャリア群を選択して出力する受信装置。
【請求項２】
前記判定部は、外部からの指示信号により判定を行う請求の範囲第１項記載の受信装置。
【請求項３】
前記判定部は、前記第１復調手段および前記第２復調手段の少なくとも一方で復調されたＴＭＣＣ信号により判定を行う請求の範囲第１項記載の受信装置。
【請求項４】
前記判定部は、判定結果を外部へ出力する請求の範囲第１項記載の受信装置。
【請求項５】
前記合成・選択部は、所定の基準値に基づいて、前記第１キャリア群と前記第２キャリア群を最大比合成する請求の範囲第１項記載の受信装置。
【請求項６】
前記第１復調手段および前記第２復調手段の少なくとも一つは、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備える請求の範囲第１項記載の受信装置。
【請求項７】
周波数多重信号を受信して受信信号を出力する受信部と、
１セグメント放送に基づく前記受信信号を復調して第１キャリア群を出力する第１復調手段と、
１セグメント放送に基づく前記受信信号を復調して第２キャリア群を出力する第２復調手段と、
前記受信信号が、１セグメント放送に基づく周波数多重信号を含む場合である第１判定結果と、３セグメント放送に基づく周波数多重信号を含む場合である第２判定結果のいずれかを判定する判定部と、
前記第１キャリア群と前記第２キャリア群を合成もしくは選択する合成・選択部と、
前記合成・選択部の出力に対して誤り訂正を行う誤り訂正部を備え、
前記第１判定結果の場合には、前記第１復調手段および第２復調手段のそれぞれは、前記受信信号を１セグメント放送に基づいて復調すると共に、前記合成・選択部は、前記第１キャリア群と前記第２キャリア群を合成もしくは選択して出力し、
前記第２判定結果の場合には、前記第１復調手段は、前記第２復調手段を利用して前記受信信号を３セグメント放送に基づいて復調する受信装置。
【請求項８】
前記第１復調手段と前記第２復調手段のそれぞれは、前記受信信号をアナログ信号からデジタル信号に変換するアナログデジタル変換部と、前記アナログデジタル変換部の出力を検波する検波部と、前記検波部の出力を時間軸の信号から周波数軸の信号に変換する時間周波数変換部を備え、前記時間周波数変換部のそれぞれは、１セグメント放送に必要なサンプリング数の１．５倍以上のサンプリング数を有し、前記判定部が前記受信信号を３セグメント放送に基づく周波数多重信号であると判定した場合には、前記第１復調手段は、前記第２復調手段の有する前記時間周波数変換部を利用して、前記受信信号を３セグメント放送に基づいて復調する請求の範囲第７項記載の受信装置。
【請求項９】
前記第２判定結果の場合には、前記第１復調手段は、前記第２復調手段の有する前記アナログデジタル変換部を利用して、前記受信信号を３セグメント放送に基づいて復調する請求の範囲第７項記載の受信装置。
【請求項１０】
前記誤り訂正部は、記憶部を有し、前記第２判定結果の場合には、前記第１復調手段は、前記誤り訂正部の有する前記記憶部を利用して、前記受信信号を３セグメント放送に基づいて復調する請求の範囲第７項記載の受信装置。
【請求項１１】
前記第２復調手段は、記憶部を有し、前記第２判定結果の場合には、前記第１復調手段は、前記第２復調手段の有する前記記憶部を利用して前記受信信号を３セグメント放送に基づいて復調する請求の範囲第７項記載の受信装置。
【請求項１２】
１セグメント放送に基づく前記受信信号を復調して第３キャリア群を出力する第３復調手段を更に備え、
前記第１判定結果の場合には、前記第１復調手段、前記第２復調手段および前記第３復調手段のそれぞれは、前記受信信号を１セグメント放送に基づいて復調すると共に、前記合成・選択部は、前記第１キャリア群、第２キャリア群および第３キャリア群を合成して出力し、
前記第２判定結果の場合には、前記第１復調手段は、前記第２復調手段と前記第３復調手段を利用して、前記受信信号を３セグメント放送に基づいて復調する請求の範囲第７項記載の受信装置。
【請求項１３】
前記判定部は、外部からの指示信号により判定を行う請求の範囲第７項記載の受信装置。
【請求項１４】
前記判定部は、前記第１復調手段および前記第２復調手段の少なくとも一方で復調されたＴＭＣＣ信号により判定を行う請求の範囲第７項記載の受信装置。
【請求項１５】
前記合成・選択部は、所定の基準値により、前記第１キャリア群および第２キャリア群を最大比合成する請求の範囲第７項記載の受信装置。
【請求項１６】
前記周波数多重信号はＯＦＤＭ信号を含む請求の範囲第１項記載の受信装置。
【請求項１７】
前記１セグメント放送および前記３セグメント放送は、前記ＯＦＤＭ信号を用いた地上デジタル放送により放送される請求の範囲第１項記載の受信装置。
【請求項１８】
周波数多重信号を受信して受信信号を出力する受信ステップと、
１セグメント放送と３セグメント放送に基づく前記受信信号を復調して第１キャリア群を出力する第１復調ステップと、
１セグメント放送に基づく前記受信信号を復調して第２キャリア群を出力する第２復調ステップと、
前記受信信号が１セグメント放送に基づく周波数多重信号を含む場合である第１判定結果と、３セグメント放送に基づく周波数多重信号を含む第２判定結果のいずれかを判定する判定ステップと、
前記第１キャリア群と前記第２キャリア群を合成もしくは選択する合成・選択ステップを備え、
前記第１判定結果の場合には、前記合成・選択ステップは、前記第１キャリア群と前記第２キャリア群を合成して出力し、
前記第２判定結果の場合には、前記合成・選択ステップは、前記第１キャリア群を選択して出力する受信方法。
【手続補正２】
【補正対象書類名】明細書
【補正対象項目名】全文
【補正方法】変更
【補正の内容】
【発明の詳細な説明】
【技術分野】
【０００１】
本発明は、周波数多重信号、特に地上デジタル放送に用いられる直交周波数分割多重信号（以下、「ＯＦＤＭ信号」という）を受信する受信装置に関するものである。
【背景技術】
【０００２】
日本国においては、２００３年よりＩＳＤＢ−Ｔ方式により地上デジタル放送が開始された。このＩＳＤＢ−Ｔ方式においては、ＯＦＤＭ信号が用いられている。また、ＩＳＤＢ−Ｔ方式においては、一つの帯域が１３個のセグメントに分割され、この１３個のセグメントが階層的に利用されることで、多面的な放送サービスが実現される。
【０００３】
このセグメントの階層的利用においては、移動体や携帯端末向けに、１３セグメントの内の１つのセグメントを用いた１セグメント放送や、１３セグメントの内の３つのセグメントを用いた３セグメント放送が予定されている。
【０００４】
この１セグメント放送と３セグメント放送は、いずれも移動受信における劣悪な環境下で受信できることが求められる。受信精度の向上のために、１セグメント放送と３セグメント放送に対応する受信装置においては、ＯＦＤＭ信号を周波数変換して得られるキャリア単位でのダイバーシティ受信が有効と考えられている（例えば特許文献１参照）。
【０００５】
しかしながら、移動体や携帯端末向けには、１セグメント放送と３セグメント放送の両方によるサービスが検討されており、受信装置においては、両方の放送を受信する必要がある。このとき、キャリア単位でのダイバーシティ受信が行われる場合には、信号を受信し、受信した信号に対して時間周波数変換を行うまでの要素が、ブランチの個数に対応して必要となる（ブランチとは、ダイバーシティ受信におけるアンテナを基準とした受信系列を指す）。
【０００６】
このとき、全てのブランチにおいて、１セグメント放送と３セグメント放送の両方に対応する要素を備えることになると、回路規模が増大し、消費電力の増加や製造コストの増加をもたらす問題がある。３セグメント放送は、１セグメント放送の約３倍のキャリア数を有しており、対応する回路もこれに応じて増加するからである。
【０００７】
一方、回路規模の増大を抑えるために、キャリア単位でのダイバーシティを行わない場合には、受信精度の低下を招く問題がある。特に、１セグメント放送においては、受信精度が大きく低下する。
【特許文献１】特開２００６−４１９８０号公報
【発明の開示】
【発明が解決しようとする課題】
【０００８】
そこで本発明は、回路規模の増大を抑えつつ、１セグメント放送に対するキャリア単位のダイバーシティ受信と、３セグメント放送に対する通常の受信を両立させることできる受信装置を提供することを目的とする。
【課題を解決するための手段】
【０００９】
第１の発明に係る受信装置は、周波数多重信号を受信して受信信号を出力する受信部と、１セグメント放送と３セグメント放送に基づく受信信号を復調して第１キャリア群を出力する第１復調手段と、１セグメント放送に基づく受信信号を復調して第２キャリア群を出力する第２復調手段と、受信信号が、１セグメント放送に基づく周波数多重信号を含む第１判定結果と、受信信号が、３セグメント放送に基づく周波数多重信号を含む第２判定結果のいずれかを判定する判定部と、第１キャリア群と第２キャリア群を合成もしくは選択する合成・選択部を備え、第１判定結果である場合には、合成・選択部は、第１キャリア群と第２キャリア群を合成もしくは選択して出力し、第２判定結果である場合には、合成・選択部は、第１キャリア群を選択して出力する。
【００１０】
この構成により、１セグメント放送の受信時には、受信精度を向上させるダイバーシティ受信が行われ、３セグメント放送の受信時には、少ない回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。
【００１１】
第２の発明に係る受信装置では、判定部は、外部からの指示信号により判定を行う。
【００１２】
第３の発明に係る受信装置では、判定部は、第１復調手段および第２復調手段の少なくとも一方で復調されたＴＭＣＣ信号により判定を行う。
【００１３】
これらの構成により、受信しているＯＦＤＭ信号が、１セグメント放送に基づくものであるか、３セグメント放送に基づくものであるかを容易に判定できる。
【００１４】
第４の発明に係る受信装置では、判定部は、判定結果を外部へ出力する。
【００１５】
この構成により、判定結果に応じて、チューナや受信部への電力供給を止めることができ、消費電力削減の制御を実現できる。
【００１６】
第５の発明に係る受信装置では、合成・選択部は、所定の基準値により、第１キャリア群と第２キャリア群を最大比合成する
この構成により、１セグメント放送時の、受信精度を向上させることができる。
【００１７】
第６の発明に係る受信装置では、第１復調手段および第２復調手段の少なくとも一つは、受信信号をアナログ信号からデジタル信号に変換するアナログデジタル変換部と、アナログデジタル変換部の出力を検波する検波部と、検波部の出力を時間軸の信号から周波数軸の信号に変換する時間周波数変換部を備える。
【００１８】
この構成により、最小の回路構成で、１セグメント放送と３セグメント放送の両方に対応する復調を実現できる。
【００１９】
第７の発明に係る受信装置は、周波数多重信号を受信して受信信号を出力する受信部と、１セグメント放送に基づく受信信号を復調して第１キャリア群を出力する第１復調手段と、１セグメント放送に基づく受信信号を復調して第２キャリア群を出力する第２復調手段と、受信信号が、１セグメント放送に基づく周波数多重信号を含む場合である第１判定結果と、３セグメント放送に基づく周波数多重信号を含む場合である第２判定結果のいずれかを判定する判定部と、第１キャリア群と第２キャリア群を合成もしくは選択する合成・選択部と、合成・選択部の出力に対して誤り訂正を行う誤り訂正部を備え、第１判定結果の場合には、第１復調手段および第２復調手段のそれぞれは、受信信号を１セグメント放送に基づいて復調すると共に、合成・選択部は、第１キャリア群と第２キャリア群を合成もしくは選択して出力し、第２判定結果の場合には、第１復調手段は、第２復調手段を利用して受信信号を３セグメント放送に基づいて復調する。
【００２０】
この構成により、１セグメント放送の受信時には、受信精度を向上させるダイバーシティ受信が行われ、３セグメント放送の受信時には、最小限の回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。
【００２１】
第８の発明に係る受信装置では、第１復調手段と第２復調手段のそれぞれは、受信信号をアナログ信号からデジタル信号に変換するアナログデジタル変換部と、アナログデジタル変換部の出力を検波する検波部と、検波部の出力を時間軸の信号から周波数軸の信号に変換する時間周波数変換部を備え、時間周波数変換部のそれぞれは、１セグメント放送に必要なサンプリング数の１．５倍以上のサンプリング数を有し、判定部が受信信号を３セグメント放送に基づく周波数多重信号であると判定した場合には、第１復調手段は、第２復調手段の有する時間周波数変換部を利用して、受信信号を３セグメント放送に基づいて復調する。
【００２２】
第９の発明に係る受信装置では、第２判定結果である場合には、第１復調手段は、第２復調手段の有するアナログデジタル変換部を利用して、受信信号を３セグメント放送に基づいて復調する。
【００２３】
第１０の発明に係る受信装置では、誤り訂正部は、記憶部を有し、第２判定結果である場合には、第１復調手段は、誤り訂正部の有する記憶部を利用して、受信信号を３セグメント放送に基づいて復調する。
【００２４】
第１１の発明に係る受信装置では、第２復調手段は、記憶部を有し、第２判定結果である判定した場合には、第１復調手段は、第２復調手段の有する記憶部を利用して受信信号を３セグメント放送に基づいて復調する。
【００２５】
第１２の発明に係る受信装置は、１セグメント放送に基づく受信信号を復調して第３キャリア群を出力する第３復調手段を更に備え、第１判定結果である場合には、第１復調手段、第２復調手段および第３復調手段のそれぞれは、受信信号を１セグメント放送に基づいて復調すると共に、合成・選択部は、第１キャリア群、第２キャリア群および第３キャリア群を合成して出力し、第２判定結果である場合には、第１復調手段は、第２復調手段と第３復調手段を利用して、受信信号を３セグメント放送に基づいて復調する。
【００２６】
これらの構成により、１セグメント放送の受信時には、受信精度を向上させるダイバーシティ受信が行われ、３セグメント放送の受信時には、最小限の回路規模と、少ない消費電力で、３セグメント放送の非ダイバーシティ受信が行われる。すなわち、回路規模と消費電力の増大を抑えつつ、一つの受信装置で、１セグメント放送と３セグメント放送の受信が両立できる。特に、１セグメント放送のＯＦＤＭ信号を復調できる複数の復調手段を最大限に活用して、回路規模を増大させること無く、３セグメント放送のＯＦＤＭ信号を復調できる。
【発明の効果】
【００２７】
本発明によれば、不要な回路規模の増大を招くことなく、１セグメント放送に対するダイバーシティ受信と、３セグメント放送に対する非ダイバーシティ受信が両立できる。
【００２８】
すなわち、受信環境の影響をより受けやすい１セグメント放送に対しては、受信精度を向上させるダイバーシティ受信が実現され、１セグメント放送よりも受信環境の影響がやや低い３セグメント放送に対しては、非ダイバーシティ受信が行われる。結果として、回路規模の増大が抑制できる。
【００２９】
また、３セグメント放送時には、余分な回路を設けることなく、受信装置が有しているリソースを有効活用して、３セグメント放送の非ダイバーシティ受信が実現できる。
【図面の簡単な説明】
【００３０】
【図１】本発明の実施の形態１における受信装置のブロック図である。
【図２】本発明の実施の形態１における最大比合成を示す説明図である。
【図３】本発明の実施の形態２における受信装置のブロック図である。
【図４】本発明の実施の形態２における受信装置のブロック図である。
【図５】本発明の実施の形態２におけるＦＦＴの近傍のブロック図である。
【図６】本発明の実施の形態２におけるアナログデジタル変換部の周辺のブロック図である。
【図７】本発明の実施の形態２におけるアナログデジタル変換を説明するタイミングチャートである。
【符号の説明】
【００３１】
１    受信装置
２、３    アンテナ
４    受信部
５、６    チューナ
７    第１復調手段
８    第２復調手段
９    判定部
１０    合成・選択部
１１    誤り訂正部
【発明を実施するための最良の形態】
【００３２】
以下、図面を参照しながら、本発明の実施の形態を説明する。
【００３３】
（実施の形態１）
図１、図２を用いて実施の形態１について説明する。
【００３４】
図１は、本発明の実施の形態１における受信装置のブロック図である。
【００３５】
受信装置１は、周波数多重信号を受信して受信信号を出力する受信部４と、第１復調手段７と、第２復調手段８と、判定部９と、合成・選択部１０と、誤り訂正部１１を備える。
【００３６】
また、受信部４には、アンテナ２、３が接続されている。
【００３７】
まず、各要素について説明する。
【００３８】
なお、周波数多重信号は、周波数軸上にキャリアが多重された通信信号を幅広く含むが、実施の形態１では、日本の地上デジタル放送におけるＩＳＤＢ−Ｔ規格で規定されているＯＦＤＭ信号を例に説明する。なお、ＯＦＤＭ信号のみならず、ＦＤＭ信号やＳＳ−ＯＦＤＭ信号などの通信信号を幅広く含むものである。
【００３９】
また、地上デジタル放送におけるＩＳＤＢ−Ｔ規格においては、所定数のキャリア群からなる１セグメントを単位として、１３セグメントが１つの帯域を形成する。本明細書において、１セグメント放送とは、ＩＳＤＢ−Ｔ規格において、携帯端末や移動端末向けに１３セグメントの内の１セグメントを用いた放送を示し、３セグメント放送とは、同じく１３セグメントの内の３セグメントを用いた放送を示す。
【００４０】
（アンテナ）
アンテナ２、３は、ＯＦＤＭ信号を受信する。アンテナ２、３は、復調手段の個数に対応した個数だけ設けられ、図１においては、復調手段が第１復調手段７と第２復調手段８の２つが設けられているので、アンテナもアンテナ２とアンテナ３の２つのアンテナが設けられている。
【００４１】
（チューナ）
アンテナ２にはチューナ４が、アンテナ３にはチューナ６が接続されている。実施の形態１では、第１復調手段７は、１セグメント放送と３セグメント放送の両方を復調できるのに対して、第２復調手段８は、１セグメント放送を復調できる。このため、第１復調手段７に接続されるチューナ５は、１セグメント放送から３セグメント放送に対応する受信を行う。第２復調手段８に接続されるチューナ６は、１セグメント放送に対応する受信を行う。いずれも、放送帯域に応じた中心周波数に基づき、アンテナ２、３で受信されたＯＦＤＭ信号の特定帯域を選択して受信する。
【００４２】
チューナ５、６は、受信したＯＦＤＭ信号を受信信号として第１復調手段７と第２復調手段８に出力する。
【００４３】
（アナログデジタル変換部）
第１復調手段７と第２復調手段８は、それぞれアナログデジタル変換部（図中では「ＡＤ変換部」と表記）２０、３０を備えている。
【００４４】
アナログデジタル変換部２０は、チューナ５からの受信信号を、アナログ信号からデジタル信号に変換する。同様に、アナログデジタル変換部３０は、チューナ６からの受信信号を、アナログ信号からデジタル信号に変換する。アナログデジタル変換部２０、３０は、受信装置１の仕様に応じた分解能を有する。
【００４５】
アナログデジタル変換部２０、３０は、変換したデジタル信号を、検波部２１、３１に出力する。
【００４６】
（検波部）
第１復調手段７と第２復調手段８のそれぞれは、検波部２１、３１を備えている。
【００４７】
検波部２１、３１は、デジタル信号に変換された受信信号を、同期処理にて検波する。検波部２１、３１は、検波した信号をＦＦＴ２２、３２に出力する。
【００４８】
検波部２１、３１は、同期検波や遅延検波により、受信信号を検波する。
【００４９】
（ＦＦＴ）
第１復調手段７と第２復調手段８のそれぞれは、高速フーリエ変換部（以下、および図中では「ＦＦＴ」という）を備えている。ＦＦＴ２２、３２のそれぞれは、検波部２１、３１の出力を、時間軸の信号から周波数軸の信号に変換する時間周波数変換部の一例であり、時間軸の信号から周波数軸の信号に変換できる機能を有したものであれば、フラクタルを利用した時間周波数変換部であっても良い。
【００５０】
ＦＦＴ２２は、第１復調手段７における受信信号を、時間軸から周波数軸の信号に変換することで、周波数軸に多重化されているキャリア群を復調する。ここで、ＦＦＴ２２が復調するキャリア群を第１キャリア群といい、第１キャリア群は複数のキャリアを含み、複数のキャリアのそれぞれは、相互に直交して多重化されている。
【００５１】
第１キャリア群は、ＩＳＤＢ−Ｔ規格におけるＯＦＤＭ信号に対応して、データキャリアとパイロットキャリアと伝送制御キャリアを含む。
【００５２】
ＦＦＴ２２は、復調した第１キャリア群を波形等化部２３と判定部９に出力する。なお、この第１キャリアのそれぞれは、変調されたデジタルデータを含んでいる。
【００５３】
ＦＦＴ３２は、第２復調手段８における受信信号を、時間軸から周波数軸の信号に変換することで、周波数軸に多重化されているキャリア群を復調する。ここで、ＦＦＴ３２が復調するキャリア群を第２キャリア群といい、第２キャリア群は、複数のキャリアを含んでおり、複数のキャリアのそれぞれは、相互に直交して多重化されている。
【００５４】
第１キャリア群と同じく、第２キャリア群は、ＩＳＤＢ−Ｔ規格におけるＯＦＤＭ信号に対応して、データキャリア、パイロットキャリア、伝送制御キャリアを含む。
【００５５】
ＦＦＴ３２は、復調した第２キャリア群を波形等化部３３と判定部９に出力する。
【００５６】
なお、ＦＦＴ２２、３２は、検波部２１、３１の出力を受けて時間周波数変換を行うので、その切り出し範囲（窓位置）を調整する機能も有していることが好ましい。
【００５７】
なお、第１復調手段７は、１セグメント放送と３セグメント放送の両方に対応するので、ＦＦＴ２２は、３セグメント放送で使用されるキャリア数に対応したサンプリング数を備えている。これに対して、第２復調手段８は、１セグメント放送に対応するので、ＦＦＴ３２は、１セグメント放送で使用されるキャリア数に対応したサンプリング数を備えている。このため、ＦＦＴ２２に比較して、ＦＦＴ３２は、回路規模が小さい。
【００５８】
（波形等化部）
第１復調手段７と第２復調手段８のそれぞれは、波形等化部２３、３３を備えている。
【００５９】
波形等化部２３は、第１キャリア群を受けて、第１キャリア群に含まれるパイロットキャリアを元に、データキャリアの位相制御を行うと共に、データキャリアの信頼性値を算出する。
【００６０】
パイロットキャリアは、振幅と位相が既知のキャリアである。波形等化部２３において、受信したパイロットキャリアが、既知のパイロットキャリアで複素除算されることで、受信したパイロットキャリアの振幅と位相の変動量が算出される。この変動量から伝送路状態が推定される。
【００６１】
波形等化部２３は、この推定された伝送路状態に基づいて、ＦＦＴ２２で復調された第１キャリア群に含まれるデータキャリアの振幅と位相を補正して、復調精度を向上させる。また、波形等化部２３は、後述する合成・選択部１０で使用する信頼性値を算出する。
【００６２】
波形等化部２３は、振幅や位相を補正した第１キャリア群と、算出した信頼性値を合成・選択部１０に出力する。
【００６３】
第２復調手段８に含まれる波形等化部３３も、波形等化部２３と同じ機能を有し、同じ処理を行う。
【００６４】
ＦＦＴ２２とＦＦＴ３２との違いと同じ理由で、波形等化部２３に対して、波形等化部３３は、その回路規模が小さい。
【００６５】
以上のように、第１復調手段７は、１セグメント放送に加えて３セグメント放送の復調にも対応する必要があるのに対して、第２復調手段８は、１セグメント放送の復調に対応するので、第２復調手段８は、第１復調手段７に比べて回路規模が小さくてすむ。
【００６６】
（判定部）
判定部９は、受信装置１が受信している受信信号が、１セグメント放送に基づくＯＦＤＭ信号を含むか、３セグメント放送に基づくＯＦＤＭ信号を含むかを判定する。ここで、判定部９は、受信信号が、１セグメント放送に基づくＯＦＤＭ信号を含む場合には、第１判定結果であると判定し、受信信号が、３セグメント放送に基づくＯＦＤＭ信号を含む場合には、第２判定結果であると判定する。
【００６７】
１セグメント放送と３セグメント放送は、それぞれＩＳＤＢ−Ｔ規格において携帯端末や移動端末向けの放送の１形態であり、放送局や放送システムにより、１セグメント放送が行われるのか、３セグメント放送が行われるのか、両方が行われるのかが決定される。このため、受信装置１は、放送システムの変化に対応するべく、１セグメント放送と３セグメント放送の両方を受信できる必要がある。このため、受信装置１には、１セグメント放送のＯＦＤＭ信号が受信される場合もあり、３セグメント放送のＯＦＤＭ信号が受信される場合もある。
【００６８】
判定部９は、受信しているＯＦＤＭ信号が１セグメント放送であるか３セグメント放送であるかを判定する。
【００６９】
判定部９は、第１復調手段７および第２復調手段８の少なくとも一方で復調されたＴＭＣＣ信号を用いて、１セグメント放送と３セグメント放送の区別を判定する。ＴＭＣＣ信号は、第１キャリア群もしくは第２キャリア群に含まれる伝送制御キャリアの復調により得られる。ＴＭＣＣ信号は、変調方式や誤り訂正方式などの伝送情報を含んでおり、この伝送情報は、放送形態の情報（すなわち、１セグメント放送と３セグメント放送の区別）も含んでいる。このため、判定部９は、復調されたＴＭＣＣ信号により、受信信号が１セグメント放送であるか３セグメント放送であるかを判定する。
【００７０】
あるいは、判定部９は、受信装置１の外部からの指示信号を用いて、１セグメント放送と３セグメント放送の区別を判定してもよい。外部からの指示信号の発生要因としては、ユーザが受信装置に備わっている設定ボタンを押すことや、表示メニューから選択することなどである。
【００７１】
判定部９は、判定結果を合成・選択部１０、第１復調手段７、第２復調手段８に出力すると共に、必要に応じて、受信装置１の外部に出力する。例えば、受信装置１を含む携帯端末や移動端末に備えられた表示装置に、判定結果を表示するために、表示装置の制御部に、判定結果が出力される。
【００７２】
（合成・選択部）
合成・選択部１０は、波形等化部２３、３３から出力される信頼性値（所定の基準値の一つである）を用いて、第１キャリア群と第２キャリア群を選択もしくは合成する。
【００７３】
合成・選択部１０は、設定された指示に従い、選択をするか合成をするか決定する。設定は、ＣＰＵが動作させるプログラムによるレジスタ設定などにより行われる。
【００７４】
まず、選択を行う場合について説明する。
【００７５】
第１復調手段７から第１キャリア群が出力され、第２復調手段８から第２キャリア群が出力されて、合成・選択部１０に入力する。同様に、第１キャリア群のキャリアに対する第１信頼性値と、第２キャリア群のキャリアに対する第２信頼性値も、合成・選択部１０に入力する。合成・選択部１０は、第１キャリア群に含まれる任意のキャリアに対する第１信頼性値と、これに対応する（周波数軸におけるキャリア位置が同じである）第２キャリア群のキャリアに対する第２信頼性値を比較して、値の大きい（値が大きい方を信頼性が高いとする場合に）キャリアを選択して出力する。
【００７６】
次に、合成を行う場合について説明する。
【００７７】
合成・選択部１０は、第１キャリア群に含まれるあるキャリアと、これに対応する第２キャリア群に含まれるキャリアを、信頼性値に基づいて最大比合成する。最大比合成とは、信頼性値に従った平均を算出することで、第１キャリア群と第２キャリア群のキャリアを合成することである。
【００７８】
図２を用いて説明する。図２は、本発明の実施の形態１における最大比合成を示す説明図である。
【００７９】
図２では、信頼性値が値「１」〜値「３」までの３段階の値を持っている。信頼性値の値が大きい方が、信頼性が高いものとする。すなわち、信頼性値「３」は信頼性値「１」よりも信頼性が高いことを示す。また第１キャリア群に含まれるキャリアを「Ｃ１」とし、第２キャリア群に含まれるキャリアを「Ｃ２」としている。
【００８０】
横列の最上位列は、キャリア「Ｃ１」の信頼性値を示し、縦列の左列は、キャリア「Ｃ２」の信頼性値を示している。
【００８１】
合成・選択部１０は、図２に示されるように、信頼性値に基づいて最大比合成の計算を行い、その結果を出力する。例えば、キャリア「Ｃ１」の信頼性値が値「２」であり、キャリア「Ｃ２」の信頼性値が値「１」の場合には、合成・選択部１０は、（２ｘＣ１＋Ｃ２）／３との計算を行って、出力する。信頼性値が異なる場合には、図２に示されるとおりである。
【００８２】
また、合成・選択部１０は、最大比合成以外にも、第１キャリア群に含まれるキャリアと第２キャリア群に含まれるキャリアを、一定の比率で合成する等比合成を行っても良い。
【００８３】
なお、合成・選択部１０は、キャリア毎に、選択や合成を行う。
【００８４】
このような合成・選択部１０でのキャリア毎の選択や合成により、復調精度が向上し、ビットエラーレートなどが減少して、受信精度が向上する。
【００８５】
合成・選択部１０は、選択や合成の結果を誤り訂正部１１に出力する。
【００８６】
（誤り訂正部）
誤り訂正部１１は、復調されたキャリアやキャリアに含まれるデジタルデータの誤りを訂正する。
【００８７】
誤り訂正部１１は、ビタビ復号やリードソロモン復号などを行い、キャリアやデータの誤りを検出し訂正する。誤り訂正されたデジタルデータが、画像や音声に関するパケットデータとして、出力される。このパケットデータは必要な復号などが行われて、画像、音声として再生される。受信装置１は、必要に応じてディスプレイやスピーカを備えており、ユーザは、再生された画像や音声を視聴できる。
【００８８】
次に、１セグメント放送における受信装置１の動作と、３セグメント放送における受信装置１の動作について説明する。
【００８９】
（１セグメント放送時）
判定部９が、受信されたＯＦＤＭ信号が、１セグメント放送に基づくＯＦＤＭ信号であると判定した場合には、受信装置１は、１セグメント放送に対応した受信処理を行う。具体的には、受信装置１は、第１復調手段７と第２復調手段８の２つのブランチにより、ダイバーシティ受信を行う。判定部９は、１セグメント放送であるとの指示を、合成・選択部１０、第１復調手段７、第２復調手段８に出力する。
【００９０】
アンテナ２とアンテナ３で受信されたＯＦＤＭ信号は、第１復調手段７と第２復調手段８のそれぞれにおいて、１セグメント放送に対応するものとして、復調され、第１キャリア群、第２キャリア群、第１信頼性値、第２信頼性値が出力される。第１復調手段７と第２復調手段８での復調処理は、図１を用いて説明したとおりである。
【００９１】
合成・選択部１０は、第１復調手段７からの第１キャリア群と、第２復調手段８からの第２キャリア群を用いて、選択、もしくは合成して誤り訂正部１１に出力する。選択や合成については、図１、２を用いて説明した上述の通りである。
【００９２】
このように、実施の形態１における受信装置１は、受信するＯＦＤＭ信号が１セグメント放送の場合には、１セグメント放送と３セグメント放送の両方に対応する第１復調手段７と、１セグメント放送に対応する第２復調手段８との両方で独立して復調され、合成・選択部１０により、ダイバーシティ受信が実現される。
【００９３】
結果として、１セグメント放送が行われている場合には、３セグメント放送も受信可能である受信装置１により、受信精度を高めることができる。
【００９４】
なお、受信装置１は、第１復調手段７、第２復調手段８に加えて、少なくとも１セグメント放送の復調が可能な第３の復調手段を備え、１セグメント放送時に３以上の復調結果を用いてダイバーシティ受信を行ってもよい（勿論、４以上の復調手段を備えても良く、限定されるものではない）。ブランチ数が増加することで、ダイバーシティ受信による受信精度の向上が更に図られるからである。
【００９５】
また、復調手段の内のいくつかにおいて、受信精度が非常に低い場合には、ダイバーシティ受信において、合成・選択部１０が、当該受信手段からのキャリアを不使用とすることで、受信精度の劣化を防止することも好適である。このときには、受信精度の非常に低い復調手段に対するクロック信号の供給の停止や、電力供給の停止により、消費電力を削減することも好適である。
【００９６】
（３セグメント放送時）
判定部９が、受信されたＯＦＤＭ信号が、３セグメント放送に基づくＯＦＤＭ信号であると判定した場合には、合成・選択部１０は、第１復調手段７の出力である第１キャリア群のみを選択して、誤り訂正部１１に出力する。
【００９７】
３セグメント放送である場合には、第２復調手段８においては、３セグメント放送に対応する復調処理ができない。このため、３セグメント放送に対応する復調処理のできる第１復調手段７からの出力のみが合成・選択部１０で選択されて、その後のデータ復調に使用される。
【００９８】
なお、判定部９は、３セグメント放送であると判定した場合には、第２復調手段８の動作を停止する処理を行うことも、消費電力削減の観点から好適である。例えば、第２復調手段８に対する供給クロック信号を停止する。
【００９９】
また、判定部９は、判定結果を受信装置１の外部に出力することも好適である。外部に出力し、アンテナ３やチューナ６などへの電力供給を停止するなどのトリガとするためである。結果として、消費電力の削減が更に進む。
【０１００】
以上のように、３セグメント放送が行われている場合には、消費電力を削減しつつ、非ダイバーシティ受信を行うことができる。３セグメント放送では、１セグメント放送よりも、非ダイバーシティ受信での受信精度が高くなりやすいので、回路規模の増加を抑えつつ、実用上十分な受信精度を、非ダイバーシティ受信で得ることができる。このとき、消費電力を抑えることも可能である。
【０１０１】
一方、非ダイバーシティ受信では、受信精度の向上が難しい１セグメント放送においては、３セグメント放送も兼用できる最小限の回路構成と規模で、ダイバーシティ受信を実現し、受信精度の向上を実現できる。
【０１０２】
すなわち、実施の形態１における受信装置１は、回路規模、受信精度、消費電力のバランスを最適にした、１セグメント放送と３セグメント放送の両方を復調できる。
【０１０３】
なお、受信装置１を構成する各要素は、ハードウェアで構成されても、ソフトウェアで構成されても、ハードウェアとソフトウェアの混在で構成されても良い。
【０１０４】
また、第１復調手段７、第２復調手段８、合成・選択部１０、誤り訂正部１１は、これらに対応するプロセッサと、プロセッサが読み込むプログラムにより、動作が実現されても良い。
【０１０５】
プロセッサは、まず受信処理に係るプログラムを読み込み、アンテナ２、３で受信されたＯＦＤＭ信号を、チューナ５、６を介して受信する。プログラムは、ＲＯＭやＲＡＭに記憶されており、プロセッサからアクセスされる。
【０１０６】
次に、プロセッサは、復調処理に係るプログラムを読み込んで、受信した受信信号を復調する。このとき、１セグメント放送と３セグメント放送のいずれでも復調して、第１キャリア群を出力する第１復調ステップと、１セグメント放送を復調して、第２キャリア群を出力する第２復調ステップの二つが存在する。次に、受信信号が１セグメント放送に基づくＯＦＤＭ信号であるのか、３セグメント放送に基づくＯＦＤＭ信号であるのかを判定する。
【０１０７】
プロセッサは、合成・選択にかかわるプログラムを読み込み、判定結果に従って、第１キャリアと第２キャリアの合成と選択を行う。判定ステップにおいて、受信しているＯＦＤＭ信号が１セグメント放送に基づくと判定された場合には、合成・選択ステップにおいて、第１キャリア群と第２キャリア群が合成される。判定ステップにおいて、受信しているＯＦＤＭ信号が３セグメント放送に基づくと判定された場合には、合成・選択ステップにおいて、第１キャリア群が選択される。
【０１０８】
以上のように、プロセッサと専用プログラムにより、実施の形態１における受信処理が実現されても良い。
【０１０９】
（実施の形態２）
次に実施の形態２について説明する。
【０１１０】
実施の形態２では、回路規模、受信精度、消費電力のバランスを最適にしつつ、１セグメント放送についてはダイバーシティ受信を行い、３セグメント放送については非ダイバーシティ受信を最小の回路規模で実現する受信装置であって、実施の形態１における受信装置よりも、さらに回路規模を縮小した受信装置について説明する。
【０１１１】
まず、図３を用いて説明する。図３は、本発明の実施の形態２における受信装置のブロック図である。
【０１１２】
なお、周波数多重信号は、周波数軸上にキャリアが多重された通信信号を幅広く含むが、実施の形態２では、日本の地上デジタル放送におけるＩＳＤＢ−Ｔ規格で規定されているＯＦＤＭ信号を例に説明する。なお、ＯＦＤＭ信号のみならず、ＦＤＭ信号やＳＳ−ＯＦＤＭ信号などの通信信号を幅広く含むものである。
【０１１３】
また、地上デジタル放送におけるＩＳＤＢ−Ｔ規格においては、所定数のキャリア群からなる１セグメントを単位として、１３セグメントが１つの帯域を形成する。本明細書において、１セグメント放送とは、ＩＳＤＢ−Ｔ規格において、携帯端末や移動端末向けに１３セグメントの内の１セグメントを用いた放送を示し、３セグメント放送とは、同じく１３セグメントの内の３セグメントを用いた放送を示す。
【０１１４】
受信装置１は、ＯＦＤＭ信号を受信して受信信号を出力する受信部４と、１セグメント放送に基づく受信信号を復調して第１キャリア群を出力する第１復調手段７と、１セグメント放送に基づく受信信号を復調して第２キャリア群を出力する第２復調手段８と、判定部９と、第１キャリア群と第２キャリア群を合成もしくは選択する合成・選択部１０と、誤り訂正部１１を備える。
【０１１５】
実施の形態１における受信装置１と異なり、第２復調手段８と同じく、第１復調手段７も、１セグメント放送に基づく復調処理を行い、３セグメント放送に基づく復調処理に対応するリソースを備えていない。
【０１１６】
アンテナ２、３、受信部４（受信部４に含まれるチューナ５、６）は、実施の形態１で説明したものと同等の機能を有する。
【０１１７】
ＡＤ変換部２０、３０、検波部２１、３１、ＦＦＴ２２、３２、波形等化部２３、３３は、基本的な機能については、実施の形態１で説明したものと、同等の機能を有する。
【０１１８】
但し、第１復調手段７に含まれるＡＤ変換部２０、検波部２１、ＦＦＴ２２、波形等化部２３のそれぞれは、１セグメント放送に対応したリソース量を有している。これは第２復調手段８に含まれるＡＤ変換部３０、検波部３１、ＦＦＴ３２、波形等化部３３も同様である。
【０１１９】
また、後述する３セグメント放送の場合においては、第１復調手段７に含まれる要素（ＡＤ変換部２０、検波部２１、ＦＦＴ２２、波形等化部２３）のそれぞれは、必要に応じて第２復調手段８に含まれる要素（ＡＤ変換部３０、検波部３１、ＦＦＴ３２、波形等化部３３）を利用してそれぞれに必要な処理を行う。
【０１２０】
判定部９は、実施の形態１と同じく、受信信号を、１セグメント放送に基づくＯＦＤＭ信号であるか、３セグメント放送に基づくＯＦＤＭ信号であるかを判定する。
【０１２１】
判定部９は、第１キャリア群、第２キャリア群に含まれるＴＭＣＣ信号を復調して、判定する。もしくは、判定部９は、外部からの指示信号に従って、判定する。判定部９は、判定結果を、第１復調手段７、第２復調手段８、合成・選択部１０、誤り訂正部１１および受信装置１の外部に出力する。
【０１２２】
合成・選択部１０、誤り訂正部１１も、基本的な機能としては、実施の形態１で説明したのと同等の機能を有する。なお、誤り訂正部１１は、誤り訂正を行う際に使用する記憶部４０を備えており、この記憶部４０は、誤り訂正時に行われるキャリアやデジタルデータの並べ替え（周波数インターリーブや時間インターリーブを元に戻すための並べ替えなど）におけるキャリアやデジタルデータを一時的に記憶する。
【０１２３】
また、図４は、本発明の実施の形態２における受信装置のブロック図である。図４に示される受信装置１は、図３に示されるものと異なり、第２復調手段８が記憶部５０を備えている。記憶部５０は、第２復調手段８が、復調処理を行うに際して使用する記憶領域である。
【０１２４】
次に、受信装置１による１セグメント放送と３セグメント放送の受信動作について説明する。
【０１２５】
（１セグメント放送）
１セグメント放送が行われる場合には、ＴＭＣＣ信号の復調や外部からの指示信号に従い、判定部９は、受信されているＯＦＤＭ信号が１セグメント放送であると判定し、各部に通知する。
【０１２６】
１セグメント放送と判定された場合には、第１復調手段７と第２復調手段８は、それぞれが有するリソース（ＡＤ変換部２０、３０、検波部２１、３１、ＦＦＴ２２、３２、波形等化部２３、３３）を用いて１セグメント放送に基づくＯＦＤＭ信号を復調する。復調により、第１復調手段７は、第１キャリア群を出力し、第２復調手段８は、第２キャリア群を出力する。第１キャリア群と第２キャリア群は、いずれも１セグメント放送に対応する復調により生成されたキャリア群である。
【０１２７】
合成・選択部１０は、判定部９からの判定結果を受けて、第１キャリア群と、第２キャリア群のそれぞれに含まれるキャリアを合成、もしくは選択する。例えば、合成・選択部１０は、波形等化部２３で算出される第１信頼性値と、波形等化部３３で算出される第２信頼性値を用いて、第１キャリア群に含まれるキャリアと、第２キャリア群に含まれるキャリアを選択する。あるいは、合成・選択部１０は、第１信頼性値と第２信頼性値を用いて、第１キャリア群に含まれるキャリアと、第２キャリア群に含まれるキャリアを最大比合成する。最大比合成については、図２を用いて説明したのと同様の処理が行われる。
【０１２８】
また、合成・選択部１０は、第１キャリア群に含まれるキャリアと、第２キャリア群に含まれるキャリアを所定の比率に基づいて、等比合成しても良い。
【０１２９】
１セグメント放送時においては、このようなキャリア単位での、ダイバーシティ受信が行われることで、受信精度が向上する。
【０１３０】
なお、受信装置１は、第１復調手段７、第２復調手段８に加えて、少なくとも１セグメント放送の復調が可能な第３の復調手段を備え、１セグメント放送時に３以上の復調結果を用いてダイバーシティ受信を行ってもよい（勿論、４以上の復調手段を備えても良く、限定されるものではない）。ブランチ数が増加することで、ダイバーシティ受信による受信精度の向上が更に図られるからである。
【０１３１】
また、復調手段の内のいくつかにおいて、受信精度が非常に低い場合には、ダイバーシティ受信において、合成・選択部１０が、当該受信手段からのキャリアを不使用とすることで、受信精度の劣化を防止することも好適である。このときには、受信精度の非常に低い復調手段に対するクロック信号の供給の停止や、電力供給の停止により、消費電力を削減することも好適である。
【０１３２】
また、誤り訂正部１１は、記憶部４０を備えているが、３セグメント放送と異なり、１セグメント放送の場合においては、並べ替えるデジタルデータのビット数も少ないため、記憶部４０の持つ記憶領域が余る。このため、第１復調手段７や第２復調手段８は、この余っている記憶領域を利用して、復調処理を実行することも、回路規模削減にとって効果的である。
【０１３３】
（３セグメント放送）
３セグメント放送が行われる場合には、ＴＭＣＣ信号の復調や外部からの指示信号に従い、判定部９は、受信されているＯＦＤＭ信号が３セグメント放送であると判定し、各部に通知する。
【０１３４】
３セグメント放送時には、受信装置１は、第１復調手段７と第２復調手段８の両方を利用して、３セグメント放送を受信する。すなわち、第１復調手段７は、第２復調手段８を利用して、３セグメント放送の受信と復調を実現する。この場合には、３セグメント放送に基づくＯＦＤＭ信号の復調において、非ダイバーシティ受信を行う。
【０１３５】
アンテナ２とアンテナ３は、３セグメント放送に基づくＯＦＤＭ信号を受信し、チューナ５、６は、所定の帯域を受信して、受信信号を第１復調手段７と第２復調手段８に出力する。ここで、３セグメント放送においては、チューナ５から出力される受信信号が、第１復調手段７と第２復調手段８の両方に入力する。第１復調手段７は、回路規模の削減とのバランスのために、単独では３セグメント放送の復調ができない。このため、第１復調手段７は、第２復調手段８が有するリソース（ＡＤ変換部３０、検波部３１、ＦＦＴ３２、波形等化部３３）を利用して復調処理を行う。第１復調手段７は、第２復調手段８を利用することにより、受信装置１が有しているリソースを活用して、３セグメント放送の復調を実現する。すなわち、第１復調手段７のみのリソースでは、１セグメント放送に対応するキャリア数しか復調できないが、第２復調手段８のリソースを利用することにより、３セグメント放送に対応するキャリア数の復調処理ができる。
【０１３６】
まず、図３に示されるように、誤り訂正部１１の備える記憶部４０の余っている記憶領域を利用して、第１復調手段７と第２復調手段８は、復調処理を行う。
【０１３７】
また、図４に示されるように、第１復調手段７は、第２復調手段８に含まれる記憶部５０を利用して、復調処理を行っても良い。記憶部５０は、第２復調手段８における復調処理において、データを一時的に記憶する。この記憶部５０は、例えば、３セグメント放送受信時においては、非ダイバーシティ受信を行うので、波形等化部３３において信頼性値を算出しなくても良い。このため、波形等化部３３をはじめとした各要素により用いられる記憶部５０は、３セグメント放送受信時には、空き領域を有することになる。第１復調手段７は、第２復調手段８のリソースの利用と共に、この記憶部５０の空き領域も利用して、復調処理を行う。
【０１３８】
また、図５に示されるように、第１復調手段７は、第２復調手段８に含まれるＦＦＴ３２を利用して、時間周波数変換を行い、３セグメント放送に対応するキャリア数の復調処理を実現する。ＦＦＴ２２とＦＦＴ３２は、それぞれバタフライ演算により、入力した時間軸の受信信号を、周波数軸の信号に変換し、周波数軸で多重化されているキャリアを復調する。図５は、本発明の実施の形態２におけるＦＦＴの近傍のブロック図である。
【０１３９】
ＦＦＴ２２は、時間周波数変換を制御するＦＦＴ演算制御部２２ａ、時間周波数変換に必要なバタフライ演算を行う演算器２２ｂ、演算における中間値や結果値を保持するメモリ部２２ｃを備えている。同様に、ＦＦＴ３２は、ＦＦＴ演算制御部３２ａ、演算器３２ｂ、メモリ部３２ｃを備えており、加えてマルチプレクサ（図中では「ＭＵＸ」と表示）６０を備えている。
【０１４０】
第１復調手段７に含まれるＦＦＴ２２は、第２復調手段８に含まれるＦＦＴ３２を利用して、３セグメント放送に対応するキャリア数を復調する。具体的には、３セグメント放送時には、同じ受信信号が第１復調手段７と第２復調手段８に入力する。ＦＦＴ２２とＦＦＴ３２は、この同じ受信信号の一部と残部をそれぞれ時間周波数変換し、ＦＦＴ３２にて時間周波数変換された結果は、メモリ部２２ｃに出力され、３セグメント放送に対応するキャリア数に見合う復調されたキャリアが、ＦＦＴ２２から出力される。ここで、ＦＦＴ２２とＦＦＴ３２は、ＩＳＤＢ−Ｔ規格における１セグメント放送に対応するキャリア数の、少なくとも１．５倍以上のサンプリング数を有しており、ＦＦＴ２２とＦＦＴ３２の二つのＦＦＴにより、３セグメント放送に対応するキャリア数を、復調することができる。
【０１４１】
次に、第１復調手段７に含まれるＡＤ変換部２０は、第２復調手段８に含まれるＡＤ変換部３０を利用して３セグメント放送に対応するアナログデジタル変換を行っても良い。
【０１４２】
図６は、本発明の実施の形態２におけるアナログデジタル変換部の周辺のブロック図である。
【０１４３】
第１復調手段７に含まれるアナログデジタル変換部２０と、第２復調手段８に含まれるアナログデジタル変換部３０には、チューナ５から出力される受信信号が入力する。アナログデジタル変換部２０、３０のそれぞれは、図７に示されるように、同じ受信信号に対して、異なる位置にサンプリングポイントを設定して、アナログデジタル変換する。この結果、アナログデジタル変換部２０、３０の二つにより、３セグメント放送に対応するＯＦＤＭ信号を、アナログデジタル変換することができる。
【０１４４】
二つのアナログデジタル変換部による３セグメント放送に対応するＯＦＤＭ信号のアナログデジタル変換について、図７を用いて説明する。図７は、本発明の実施の形態２におけるアナログデジタル変換を説明するタイミングチャートである。
【０１４５】
波形４０１に示されるように、チューナ５から、アナログデジタル変換部２０、３０のそれぞれに、３セグメント放送のＯＦＤＭ信号が入力する。波形４０２は、３セグメント放送に必要なサンプリングポイントを示している。波形４０２に示されるとおり、必要となるサンプリングポイントは、サンプリング周期Ｔにより定まる。
【０１４６】
このとき、アナログデジタル変換部２０とアナログデジタル変換部３０のそれぞれは、サンプリング周期Ｔの倍の周期である２Ｔで、３セグメント信号をサンプリングする。このとき、アナログデジタル変換部２０でのサンプリングポイントは、アナログデジタル変換部３０でのサンプリングポイントと周期Ｔだけずれている。マルチプレクサ７０は、波形４０５に示すように切り替え信号を用いて、アナログデジタル変換部２０でサンプリングされた結果と、アナログデジタル変換部３０でサンプリングされた結果を、順次互い違いに出力する。
【０１４７】
以上の処理により、波形４０６に示されるように、３セグメント放送の復調に必要なサンプリングポイントによるアナログデジタル変換が実現される。
【０１４８】
以上のように、第１復調手段７は、第２復調手段８に含まれる各要素（アナログデジタル変換部３０、検波部３１、ＦＦＴ３２、波形等化部３３）を利用して、３セグメント放送に基づくＯＦＤＭ信号の復調処理を実現する。このとき、第１復調手段７と第２復調手段８のそれぞれは、１セグメント放送に対応するリソースを有しているので、受信装置１全体としての回路規模は少なくてすむ。当然ながら消費電力も少なくてすむ。
【０１４９】
第１復調手段７が第２復調手段８のリソースを利用して復調した第１キャリア群は、３セグメント放送に対応するキャリア数を有しており、合成・選択部１０は、この第１キャリア群を選択して、誤り訂正部１１に出力する。
【０１５０】
実施の形態２における受信装置１は、１セグメント放送時には、受信精度を向上させるダイバーシティ受信を行い、３セグメント放送時には、最小限の回路規模により、非ダイバーシティ受信を行うことができる。特に、実施の形態１における復調装置１よりも、少ない回路規模で３セグメント放送に基づくＯＦＤＭ信号を復調できる。
【０１５１】
なお、受信装置１は、１セグメント放送の復調処理を行うことのできる第３復調手段を設け、第１復調手段７、第２復調手段８、第３復調手段の３つの（１セグメント放送に基づくＯＦＤＭ信号の復調が可能な）復調手段を用いて、３セグメント放送に基づくＯＦＤＭ信号を復調しても良い。
【０１５２】
なお、１セグメント放送の復調に対応する複数の復調手段を用いて、３セグメント放送の復調を実現する場合には、第１復調手段７が、他の復調手段のリソースを用いて復調し、３セグメント放送に対応するキャリア数のキャリアをまとめて合成・選択部１０に出力しても良く、第１復調手段７から出力される第１キャリア、第２復調手段８から出力される第２キャリア、第３復調手段から出力される第３キャリアを、合成・選択部１０が合成して、３セグメント放送でのキャリア数に見合うキャリアを出力しても良い。
【０１５３】
なお、受信装置１は、ＯＦＤＭ信号をはじめとする周波数多重信号を利用する様々な電子機器に搭載される。
【０１５４】
電子機器の例としては、カーナビゲーションシステム、車載用テレビ装置、携帯電話、携帯端末、ＰＤＡ、ノートブック型パソコンに代表される移動可能な携帯型の電子機器や、据え置きテレビ、ＤＶＤプレーや、パソコン、ラジオ、ＶＴＲなどに代表される据え置き型の電子機器などがある。
【０１５５】
これらの電子機器は、画像や音声情報が変調されている周波数多重信号を受信して、受信された信号を復調することにより画像や音声を表示できる。ユーザは、これらの表示された画像や音声を楽しむことができる。
【０１５６】
このように本発明の受信装置１が搭載された電子機器の場合には、地上デジタル放送における１セグメント放送を高い精度で受信でき、３セグメント放送を少ない回路規模で受信できる。
【産業上の利用可能性】
【０１５７】
本発明は、例えば、地上デジタル放送を受信する携帯端末や移動端末に含まれる受信装置の分野等において好適に利用できる。
【国際調査報告】
2007144978.tif 000010
2007144978.tif 000011